(57)【特許請求の範囲】
【請求項１】
装置本体と、
前記装置本体の外部の空気を内部に吸引する吸引部と、
前記吸引部により吸引された前記空気が通過する脱臭フィルタと、
前記脱臭フィルタに水を供給する給水部と、
環境温度を検知する温度検知部と、
前記給水部に前記脱臭フィルタへ予め定められた供給水量の前記水を供給するように指示する水供給手段と、
前記温度検知部の検知に基づいて前記供給水量の前記水が供給された前記脱臭フィルタの乾燥にかかる乾燥時間を設定する乾燥時間設定手段と、
前記水供給手段によって前記供給水量の前記水が前記脱臭フィルタに供給された後に、前記吸引部を作動して前記空気の脱臭を行い、前記乾燥時間が経過するまでは、前記水供給手段による前記水の供給を禁止する脱臭手段と、
を備えることを特徴とする便座装置。
【請求項２】
前記乾燥時間設定手段は、前記温度検知部によって検知される前記環境温度が低い場合に比べて、前記環境温度が高い場合の方が前記乾燥時間を短く設定することを特徴とする請求項１に記載の便座装置。
【請求項３】
装置本体と、
前記装置本体の外部の空気を内部に吸引する吸引部と、
前記吸引部により吸引された前記空気が通過する脱臭フィルタと、
前記脱臭フィルタに水を供給する給水部と、
環境温度を検知する温度検知部と、
前記温度検知部の検知に基づいて前記脱臭フィルタに供給する前記水の供給水量を設定する水供給量設定手段と、
前記給水部に前記供給水量を前記脱臭フィルタへ供給するように指示する水供給手段と、
前記水供給手段によって前記供給水量の前記水が前記脱臭フィルタに供給された後に、前記吸引部を作動して前記空気の脱臭を行い、予め定められた乾燥時間が経過するまでは、前記水供給手段による前記水の供給を禁止する脱臭手段と、
を備えたことを特徴とする便座装置。
【請求項４】
前記水供給量設定手段は、前記温度検知部によって検知される前記環境温度が低い場合に比べて、前記環境温度が高い場合の方が前記供給水量を多く設定することを特徴とする請求項３に記載の便座装置。
【請求項５】
装置本体と、
前記装置本体の外部の空気を内部に吸引する吸引部と、
前記吸引部により吸引された前記空気が通過する脱臭フィルタと、
前記脱臭フィルタに水を供給する給水部と、
環境温度を検知する温度検知部と、
前記給水部に前記脱臭フィルタへ予め定められた供給水量の前記水を供給するように指示する水供給手段と、
前記温度検知部の検知に基づいて前記供給水量の前記水が供給された前記脱臭フィルタの乾燥にかかる乾燥時間を設定する乾燥時間設定手段と、
前記水供給手段によって前記供給水量の前記水が前記脱臭フィルタに供給された後に、前記吸引部を作動して前記空気の脱臭を行い、前記乾燥時間が経過すると再度前記脱臭フィルタに前記水を供給する脱臭手段と、
を備えることを特徴とする便座装置。
【請求項６】
装置本体と、
前記装置本体の外部の空気を内部に吸引する吸引部と、
前記吸引部により吸引された前記空気が通過する脱臭フィルタと、
前記脱臭フィルタに水を供給する給水部と、
環境温度を検知する温度検知部と、
前記温度検知部の検知に基づいて前記脱臭フィルタに供給する前記水の供給水量を設定する水供給量設定手段と、
前記給水部に前記供給水量を前記脱臭フィルタへ供給するように指示する水供給手段と、
前記水供給手段によって前記供給水量の前記水が前記脱臭フィルタに供給された後に、前記吸引部を作動して前記空気の脱臭を行い、予め定められた乾燥時間が経過すると再度前記脱臭フィルタに前記水を供給する脱臭手段と、
を備えたことを特徴とする便座装置。
【発明の詳細な説明】
【技術分野】
【０００１】
本発明は、便座装置に関する。
【背景技術】
【０００２】
例えば、吸気装置と、殺菌水供給装置と、を備えた水洗トイレの脱臭殺菌装置がある（例えば、特許文献１参照。）。特許文献１に記載された水洗トイレの脱臭殺菌装置では、大便器または小便器で発生する悪臭成分を除去するために、電解水即ち殺菌水を保湿性の脱臭フィルタに供給して含浸させる。吸気装置を作動させると、便器より臭気通路を通って臭気が吸引される。その臭気が脱臭フィルタを通過するときに、含浸させた電解水によって悪臭成分が吸収されたり分解されたりする。
【０００３】
このような脱臭殺菌装置では、フィルタに電解水が含浸した状態において脱臭効果が得られるため、脱臭動作中においてはフィルタが常に保水した状態となるようにするのが好ましい。一方で、脱臭動作中は吸気装置によってフィルタに臭気を含んだ空気が当てられているため、フィルタは徐々に乾燥していく。そのため、フィルタが乾燥した状態となると再度給水を行いフィルタが電解水を含浸した状態に保つようにしている。
【先行技術文献】
【特許文献】
【０００４】
【特許文献１】特開２０００−１２９７４７号公報
【発明の概要】
【発明が解決しようとする課題】
【０００５】
しかしながら、フィルタが完全に乾燥する前に電解水を供給すると、フィルタが直前に供給された電解水を保持している状態であるため、新たに供給された電解水をフィルタが保持しきれない。そのため、フィルタに供給した電解水が無駄に排水されてしまうおそれがあった。
このように、脱臭殺菌装置では、脱臭を行っている場合にはフィルタが電解水を保持した状態に保つことが好ましいが、フィルタが乾燥する前に電解水を供給すると、フィルタが供給した電解水を保持しきれずに排水されてしまう場合があるという課題があった。
【０００６】
本発明は、このような課題に基づいてなされたものであり、脱臭フィルタによる脱臭を行っている間は脱臭フィルタが水を保持した状態に保ち、且つ、フィルタに保持されないまま排出される水を少なくすることができる便座装置を提供することを目的とする。
【課題を解決するための手段】
【０００７】
上記課題を解決するために、第１の態様は、装置本体と、前記装置本体の外部の空気を内部に吸引する吸引部と、前記吸引部により吸引された前記空気が通過する脱臭フィルタと、前記脱臭フィルタに水を供給する給水部と、環境温度を検知する温度検知部と、前記給水部に前記脱臭フィルタへ予め定められた供給水量の前記水を供給するように指示する水供給手段と、前記温度検知部の検知に基づいて前記供給水量の前記水が供給された前記脱臭フィルタの乾燥にかかる乾燥時間を設定する乾燥時間設定手段と、前記水供給手段によって前記供給水量の前記水が前記脱臭フィルタに供給された後に、前記吸引部を作動して前記空気の脱臭を行い、前記乾燥時間が経過するまでは、前記水供給手段による前記水の供給を禁止する脱臭手段と、を備えることを特徴とする便座装置である。
【０００８】
このような構成によれば、乾燥時間設定手段が、水供給手段によって供給された水が乾燥するまでの時間を温度検知部の検知に基づいて設定する。そして、この乾燥時間が経過するまでは、脱臭手段によって水供給手段の実行が禁止されるため、一旦水供給手段を実行すると、乾燥時間が経過するまで次の水供給手段は実行されない。脱臭手段によって水供給手段の実行が禁止されている間は吸引部によって吸引された空気が脱臭フィルタを通過することで、装置本体の外部の空気に含まれる悪臭成分が脱臭される。また、吸引された空気が通過することで脱臭フィルタは徐々に乾燥していき、乾燥時間が経過すると水供給手段によって供給された水が乾燥した状態となる。つまり乾燥時間設定手段では、予め定められた供給水量の水が供給された脱臭フィルタが乾燥した状態となるまでに掛かる時間を乾燥時間として設定する。
そのため、水供給手段は乾燥時間が経過し、脱臭フィルタが乾燥した状態となってから脱臭フィルタに水を供給することができる。これによって、脱臭フィルタが乾燥していない状態で水を供給する場合に比べて、より多くの水が脱臭フィルタに保持され、フィルタに保持されないまま排出される水を少なくすることができる。
また、乾燥時間が経過すると再度脱臭フィルタに水が供給可能となるため、引き続き脱臭フィルタによる脱臭を行う場合は再度水を供給することで、脱臭フィルタが水を保持した状態を保つことができ吸引部から吸引された空気に含まれる臭気を脱臭することができる。
【０００９】
また、第２の態様は、第１の態様において、前記乾燥時間設定手段は、前記温度検知部によって検知される前記環境温度が低い場合に比べて、前記環境温度が高い場合の方が前記乾燥時間を短く設定することを特徴とする便座装置である。
【００１０】
給水部からは予め定められた量の水が供給されるので、脱臭フィルタが乾燥するまでにかかる乾燥時間は空気の環境温度によって決まる。即ち、供給される水の量が同じであれば、環境温度が低い場合に比べて室温が高い場合の方が、脱臭フィルタが乾燥するまでに掛かる時間が短くなる。
そのため、乾燥時間設定手段は、環境温度が高くなるほど乾燥時間を短く設定することで、環境温度に応じて乾燥するまでの時間が変化する脱臭フィルタに合わせて乾燥時間を設定することができる。
【００１１】
これにより、環境温度が高い場合に乾燥時間が長く設定されていまい、乾燥時間の途中であるにもかかわらず脱臭フィルタに水が保持されていない状態となること、及び、環境温度が低い場合に乾燥時間が短く設定されてしまい、脱臭フィルタが乾燥していない状態で水が供給されることを抑制することができる。
従って、このような構成によれば、脱臭フィルタが乾燥した状態になってから水を供給することができ、脱臭フィルタに保持されないまま排出される水を少なくすることができる。また、設定された乾燥時間が経過するまでの間、脱臭フィルタが水を保持した状態に保つことができる。
【００１２】
また、第３の態様は、装置本体と、前記装置本体の外部の空気を内部に吸引する吸引部と、前記吸引部により吸引された前記空気が通過する脱臭フィルタと、前記脱臭フィルタに水を供給する給水部と、前記装置本体の外部の環境温度を検知する温度検知部と、前記温度検知部の検知に基づいて前記脱臭フィルタに供給する前記水の供給水量を設定する水供給量設定手段と、前記給水部に前記供給水量を前記脱臭フィルタへ供給するように指示する水供給手段と、前記水供給手段によって前記供給水量の前記水が前記脱臭フィルタに供給された後に、前記吸引部を作動して前記空気の脱臭を行い、予め定められた乾燥時間が経過するまでは、前記水供給手段による前記水の供給を禁止する脱臭手段と、を備えたことを特徴とする便座装置である。
【００１３】
このような構成によれば、水供給量設定手段が、水供給手段によって供給される水の供給水量を温度検知部の検知に基づいて設定する。そして、脱臭手段によって予め定められた乾燥時間が経過するまでは、水供給手段の実行が禁止されるため、一旦水供給手段を実行すると、乾燥時間が経過するまで次回の水供給手段は実行されない。脱臭手段によって水供給手段の実行が禁止されている間は吸引部によって吸引された空気が脱臭フィルタを通過することで、装置本体の外部の空気に含まれる悪臭成分が脱臭される。また、吸引された空気が通過することで脱臭フィルタは徐々に乾燥していき、乾燥時間が経過すると水供給手段によって供給された水が乾燥した状態となる。つまり、水供給量設定手段では、予め定められた乾燥時間の間で脱臭フィルタが乾燥した状態となる水量を供給水量として設定する。
【００１４】
そのため、水供給手段は脱臭フィルタが乾燥した状態となってから水を供給することができ、脱臭フィルタが乾燥していない状態で水を供給する場合に比べて、より多くの水が脱臭フィルタに保持され、脱臭フィルタに保持されないまま排出される水を少なくすることができる。
また、乾燥時間が経過すると再度脱臭フィルタに水が供給可能となるため、引き続き脱臭フィルタによる脱臭を行う場合は再度水を供給することで、脱臭フィルタが水を保持した状態を保つことができ吸引部から吸引された空気に含まれる臭気を脱臭することができる。  
【００１５】
また、第４の態様は、第３の態様において、前記水供給量設定手段は、前記温度検知部によって検知される前記環境温度が低い場合に比べて、前記環境温度が高い場合の方が前記供給水量を多く設定することを特徴とする便座装置である。
【００１６】
空気の環境温度が低い場合に比べて環境温度が高い場合の方が脱臭フィルタから単位時間当たりに蒸発する水量が多くなる。つまり、同じ乾燥時間であれば、環境温度が低い場合に比べて環境温度が高い場合の方が、脱臭フィルタから蒸発する水量は多くなる。
そのため、水供給量設定手段は、環境温度が高くなるほど供給水量を多く設定することで、環境温度に応じて蒸発する水量が変化する脱臭フィルタに合わせて供給水量を設定することができる。
【００１７】
これにより、環境温度が高い場合には供給水量が少なく設定されてしまい、乾燥時間の途中であるにもかかわらず脱臭フィルタに水が保持されていない状態となるいこと、及び、環境温度が低い場合に供給水量が多く設定されていまい、脱臭フィルタが乾燥していない状態で水が供給されることを抑制することができる。
従って、このような構成によれば、脱臭フィルタが乾燥した状態になってから水を供給することができ、フィルタに保持されないまま排出される水を少なくすることができる。また、予め定められた乾燥時間が経過するまでの間、脱臭フィルタが水を保持した状態に保つことができる。
【００１８】
また、第５の態様は、装置本体と、前記装置本体の外部の空気を内部に吸引する吸引部と、前記吸引部により吸引された前記空気が通過する脱臭フィルタと、前記脱臭フィルタに水を供給する給水部と、環境温度を検知する温度検知部と、前記給水部に前記脱臭フィルタへ予め定められた供給水量の前記水を供給するように指示する水供給手段と、前記温度検知部の検知に基づいて前記供給水量の前記水が供給された前記脱臭フィルタの乾燥にかかる乾燥時間を設定する乾燥時間設定手段と、前記水供給手段によって前記供給水量の前記水が前記脱臭フィルタに供給された後に、前記吸引部を作動して前記空気の脱臭を行い、前記乾燥時間が経過すると再度前記脱臭フィルタに前記水を供給する脱臭手段と、を備えることを特徴とする便座装置である。
【００１９】
このような構成によれば、乾燥時間設定手段が、水供給手段によって供給された水が乾燥するまでの時間を温度検知部の検知に基づいて設定する。そして、供給水量の水が脱臭フィルタに供給された後から乾燥時間が経過するまで吸引部を作動して、水を保持した脱臭フィルタに空気を通し脱臭を行うとともに、脱臭フィルタに供給された水を乾燥させる。そして、乾燥時間が経過すると脱臭フィルタは乾燥した状態となるので、引き続き脱臭フィルタによる空気の脱臭を行う場合は、再度脱臭フィルタに水を供給する。つまり乾燥時間設定手段では、予め定められた供給水量の水が供給された脱臭フィルタが乾燥した状態となるまでに掛かる時間を乾燥時間として設定する。
【００２０】
そのため、水供給手段は乾燥時間が経過し、脱臭フィルタが乾燥した状態となってから脱臭フィルタに水を供給することができる。これによって、脱臭フィルタが乾燥していない状態で水を供給する場合に比べて、より多くの水が脱臭フィルタに保持され、フィルタに保持されないまま排出される水を少なくすることができる。
【００２１】
また、第６の態様は、装置本体と、前記装置本体の外部の空気を内部に吸引する吸引部と、前記吸引部により吸引された前記空気が通過する脱臭フィルタと、前記脱臭フィルタに水を供給する給水部と、環境温度を検知する温度検知部と、前記温度検知部の検知に基づいて前記脱臭フィルタに供給する前記水の供給水量を設定する水供給量設定手段と、前記給水部に前記供給水量を前記脱臭フィルタへ供給するように指示する水供給手段と、前記水供給手段によって前記供給水量の前記水が前記脱臭フィルタに供給された後に、前記吸引部を作動して前記空気の脱臭を行い、予め定められた乾燥時間が経過すると再度前記脱臭フィルタに前記水を供給する脱臭手段と、を備えたことを特徴とする便座装置である。
【００２２】
このような構成によれば、水供給量設定手段が、水供給手段によって供給される水の供給水量を温度検知部の検知に基づいて設定する。そして、供給水量の水が脱臭フィルタに供給された後から予め定められた乾燥時間が経過するまで吸引部を作動して、水を保持した脱臭フィルタに空気を通し脱臭を行うとともに、脱臭フィルタに供給された水を乾燥させる。そして、予め定められた乾燥時間が経過すると脱臭フィルタは乾燥した状態となるので、引き続き脱臭フィルタによる空気の脱臭を行う場合は、再度脱臭フィルタに水を供給する。つまり、水供給量設定手段では、予め定められた乾燥時間の間で脱臭フィルタが乾燥した状態となる水量を供給水量として設定する。
【００２３】
そのため、水供給手段は脱臭フィルタが乾燥した状態となってから水を供給することができ、脱臭フィルタが乾燥していない状態で水を供給する場合に比べて、より多くの水が脱臭フィルタに保持され、脱臭フィルタに保持されないまま排出される水を少なくすることができる。
【発明の効果】
【００２４】
本発明によれば、脱臭フィルタによる脱臭を行っている間は脱臭フィルタが水を保持した状態に保ち、かつ、脱臭フィルタに保持されないまま排出される電解水を少なくすることができる便座装置を提供することができる。
【図面の簡単な説明】
【００２５】
【図１】本発明の実施の形態にかかる便座装置が設置されたトイレルームを表す模式的斜視図である。
【図２】本実施形態にかかる便座装置を表す模式的斜視図である。
【図３】本実施形態の洗浄水供給装置および脱臭装置の要部構成を表すブロック図である。
【図４】本実施形態の脱臭装置を表す模式的斜視図である。
【図５】本実施形態の脱臭装置を表す模式的分解図である。
【図６】本実施形態の電解槽の具体例を例示する模式的断面図である。
【図７】脱臭フィルタおよびフィルタケースの具体例を例示する模式的斜視図である。
【図８】脱臭フィルタおよびフィルタケースの具体例を例示する模式的平面図である。
【図９】本実施形態の脱臭フィルタのハニカム構造の具体例を例示する模式的平面図である。
【図１０】本実施形態にかかる便座装置の内部を表す模式的平面図である。
【図１１】使用頻度の判定方法を説明する表である。
【図１２】本実施形態にかかる制御部における脱臭動作の具体例を示すフローチャート図である。
【図１３】本実施形態にかかる制御部において、トイレルーム内の温度が１０度未満である場合の、動作の具体例を例示するタイミングチャート図である。
【図１４】本実施形態にかかる制御部において、トイレルーム内の温度が１０度以上３０度未満で有る場合の、動作の具体例を例示するタイミングチャート図である。
【図１５】本実施形態にかかる制御部において、トイレルーム内の温度が３０度以上である場合の、動作の具体例を例示するタイミングチャート図である。
【図１６】第２実施形態にかかる制御部における脱臭動作の具体例を示すフローチャート図である。
【図１７】第２実施形態にかかる制御部において、トイレルーム内の温度が１０度未満である場合の、動作の具体例を例示するタイミングチャート図である。
【図１８】（ａ）は第２実施形態にかかる制御部において、トイレルーム内の温度が１０度以上３０度未満である場合の動作の具体例を例示するタイミングチャート図である。（ｂ）は第２実施形態にかかる制御部において、トイレルーム内の温度が３０度以上である場合の動作の具体例を例示するタイミングチャート図である。
【図１９】第３実施形態にかかる制御部における脱臭動作の具体例を示すフローチャート図である。
【図２０】第４実施形態にかかる制御部における脱臭動作の具体例を示すフローチャート図である。
【発明を実施するための形態】
【００２６】
＜第１実施形態＞
＜便座装置の概要＞
以下、本発明の実施の形態について図面を参照しつつ説明する。なお、各図面中、同様の構成要素には同一の符号を付して詳細な説明は適宜省略する。
図１は、本発明の実施の形態にかかる便座装置が設置されたトイレルームを表す模式的斜視図である。  
図２は、本実施形態にかかる便座装置を表す模式的斜視図である。
【００２７】
図１に表したように、トイレルーム１００の内部には水洗式の大便器２が設置されている。大便器２には、便座装置１（装置本体）が設けられている。本実施形態にかかる便座装置１は、便座（図示せず）と、便蓋４と、機能部６と、を備える。例えば、使用者は、トイレルーム１００の壁面に設置された操作部７４を操作すると、便蓋４を開閉させたり、機能部６が有する各種機能を動作させることができる。
【００２８】
図２に表したように、機能部６は、ケースプレート８と、ケースカバー１０と、洗浄水供給装置１２（図３参照）と、人体検知センサ１３と、洗浄ノズル１４と、脱臭装置１６と、温度検知部１７（図３参照）と、制御部１８と、を有する。便座（図示せず）および便蓋４は、ケースカバー１０に対して開閉自在に軸支されている。ケースプレート８は、大便器２の正面（前方）からみて、大便器２のボウル部２０よりも後方に設けられている。ケースプレート８には、洗浄水供給装置１２と、洗浄ノズル１４と、脱臭装置１６と、制御部１８と、が設けられている。ケースカバー１０は、洗浄水供給装置１２と、洗浄ノズル１４と、脱臭装置１６と、制御部１８と、を覆いケースプレート８に固定されている。
【００２９】
人体検知センサ１３は、例えば赤外線信号を利用した焦電センサであり、トイレルーム１００に入室した入室者を検知する。人体検知センサ１３は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知センサ１３として用いた場合には、人体検知センサ１３は、トイレルーム１００のドア越しに使用者の存在を検知することが可能となる。つまり、人体検知センサ１３は、トイレルーム１００に入室する前の使用者を検知することができる。また、温度検知部１７は、便座装置１が設置されている空間の環境温度を検知する。ここで、環境温度とは、例えば、便座装置１が設置されるトイレルーム１００内の空気の温度である。しかし、環境温度はこれに限定されるものではなく、例えば、後述する吸気口部２１から吸い込まれた空気の温度や、便座装置１に供給される水の温度であってもよい。
【００３０】
脱臭装置１６は、大便器２の正面からみて、ケースプレート８の後方左側に設置されている。図２に表した矢印Ａ２８のように、脱臭装置１６は、大便器２の正面からみて、ケースカバー１０の左側に設けられた吸気口部２１から、トイレルーム１００内の空気を吸い込む。トイレルーム１００内の空気とは、主として大便器２の外部の空気（ボウル部２０以外の空気）をいう。吸気口部２１から吸い込まれた空気に含まれる悪臭成分は、脱臭装置１６によって捕集又は分解される。
【００３１】
本願明細書においては、通常使用状態で大便器２に腰掛けた使用者からみて上方を「上方」とし、通常使用状態で大便器２に腰掛けた使用者からみて下方を「下方」とする。また、通常使用状態で大便器２に腰掛けた使用者からみて前方を「前方」とし、通常使用状態で大便器２に腰掛けた使用者からみて後方を「後方」とする。あるいは、大便器２の方向を向いて大便器２の前に立った使用者からみて手前側を「前方」とし、大便器２の方向を向いて大便器２の前に立った使用者からみて奥側を「後方」とする。また、大便器２の方向を向いて大便器２の前に立った使用者からみて右側を「右側方」とし、大便器２の方向を向いて大便器２の前に立った使用者からみて左側を「左側方」とする。
【００３２】
本実施形態における「悪臭成分」は、アンモニア成分を含む。この悪臭成分は、尿がトイレルーム１００の床や壁などに付着したときに、尿の付着部分から発生する。
【００３３】
図２に表した矢印Ａ２９のように、脱臭装置１６によって悪臭成分が捕集又は分解された空気は、大便器２の正面からみて、ケースカバー１０の左側に設けられた排気口部２２から、トイレルーム１００へ吐き出される。
【００３４】
排気口部２２がケースカバー１０の側面に設けられているため、空気は、ケースカバー１０の前方へは排出されない。したがって、排気口部２２から排出された空気が使用者に直接的に当たることを抑制することができる。これにより、使い勝手の良い便座装置１を提供することができる。なお、吸気口部２１及び排気口部２２の設置形態は、図２に表した例には限定されない。例えば、吸気口部２１は、ケースカバー１０の後方面（背面）に設けられていてもよい。あるいは、吸気口部２１及び排気口部２２の少なくともいずれかは、右側の面に設けられていてもよい。
【００３５】
図２に表した例では、排気口部２２は、吸気口部２１よりも前方側に設けられている。そのため、排気口部２２は、悪臭成分が捕集又は分解された空気を吸気口部２１よりも前方側から排出することができる。したがって、使用者は、悪臭成分が捕集又は分解された空気を比較的吸いやすい。そのため、使用者が不快感を感じることをより抑制することができる。
【００３６】
制御部１８は、ＩＣ素子を含んだ制御回路であり、洗浄水供給装置１２、人体検知センサ１３、洗浄ノズル１４、温度検知部１７、および脱臭装置１６のそれぞれの動作を電気的に制御する。制御部１８は、例えば、ファン４６（図３参照）の動作を制御する。制御部１８は、例えば金属製の筺体としての制御部カバー（図示せず）によって覆われている。
【００３７】
＜機能水の生成方法＞
図３は、本実施形態の洗浄水供給装置および脱臭装置の要部構成を表すブロック図である。  
図４は、本実施形態の脱臭装置を表す模式的斜視図である。  
図５は、本実施形態の脱臭装置を表す模式的分解図である。  
図６は、本実施形態の電解槽の具体例を例示する模式的断面図である。
【００３８】
図３に表したように、洗浄水供給装置１２は、流路開閉弁２４と、瞬間加熱式の熱交換機２６と、電解槽２８と、大気解放式のバキュームブレーカー（ＶＢ）３０と、洗浄ノズル１４へ通じる第１流路３２と、脱臭装置１６へ通じる第２流路３４と、電磁ポンプ３６と、流調・流路切換弁３８と、を有する。なお、洗浄水供給装置１２は、必ずしも熱交換機２６を有していなくともよい。外部から供給された水は、流路開閉弁２４が開いたときに、熱交換機２６を通って電解槽２８へ送られる。
【００３９】
図６に表したように、電解槽２８は、第１の電極２８ａと、第２の電極２８ｂと、を有する。第１の電極２８ａは、例えば陽極である。第２の電極２８ｂは、例えば陰極である。第１の電極２８ａおよび第２の電極２８ｂは、電解槽２８の内部に設けられている。電解槽２８は、制御部１８から送信された通電の制御信号に基づいて、第１の電極２８ａと、第２の電極２８ｂと、の間の空間を流れる水道水を電気分解できる。言い換えれば、電解槽２８へ送られてきた水は、電解槽２８の内部において電気分解される。
【００４０】
水道水は、塩素イオン（Ｃｌ−）を含んでいる。塩素イオンは、水源（例えば、地下水や、ダムの水や、河川などの水）に食塩（ＮａＣｌ）や塩化カルシウム（ＣａＣｌ２）などとして含まれている。そのため、陽極（例えば第１の電極２８ａ）では、化学式１に表した反応が生ずる。
【００４１】
【化１】
0006421929.tif 000002
【００４２】
化学式１において発生した塩素は、気泡としては存在しにくく、ほとんどの塩素は水に溶解する。そのため、化学式１において発生した塩素については、化学式２に表した反応が生ずる。
【００４３】
【化２】
0006421929.tif 000003
【００４４】
このようにして、塩素イオンを電気分解することにより次亜塩素酸（ＨＣｌＯ）が生成される。その結果、電解槽２８において電気分解された水は、次亜塩素酸を含む液（以下、「機能水」と称する）に変化する。
【００４５】
電解槽２８によって生成された機能水は、第１流路３２又は第２流路３４へ流れる。第１流路３２へ流れた機能水は、電磁ポンプ３６によって、洗浄ノズル１４へ送られる。洗浄ノズル１４は、吐水部１５を有する。例えば、吐水部１５は、おしり洗浄吐水孔１５ａと、おしりソフト吐水孔１５ｂと、ビデ洗浄吐水孔１５ｃと、ワイドビデ洗浄吐水孔１５ｄと、を有する。但し、吐水部１５が有する吐水孔は、これだけには限定されない。洗浄ノズル１４へ送られた機能水は、吐水部１５から吐出される。吐水部１５から吐出された機能水は、洗浄ノズル１４の外面の洗浄、即ち胴体洗浄に用いられる。
【００４６】
電磁ポンプ３６と洗浄ノズル１４との間には、流調・流路切替弁３８が設けられている。流調・流路切替弁３８を動作させることで、洗浄ノズル１４から吐出する機能水の吐水流量、吐水角度および吐水範囲などを変更することができる。また、流調・流路切替弁３８を動作させることで、機能水をノズル洗浄室（胴体洗浄部）４０に送ることができる。ノズル洗浄室４０は、吐水部４１を有する。ノズル洗浄室４０は、吐水部４１から機能水を吐出することで、洗浄ノズル１４の外面の洗浄、即ち胴体洗浄を行う。
【００４７】
＜脱臭装置での脱臭原理＞
第２流路３４へ流れた機能水は、脱臭装置１６へ送られる。図３〜図５に表したように、脱臭装置１６は、集塵フィルタ４４と、ファン４６（吸引部）と、脱臭フィルタ４８と、噴霧部５０（給水部）と、水受け部５２と、フィルタケース７２と、を有している。
【００４８】
水受け部５２は、吸気口４２と、排気口５４と、を有する。吸気口４２は、ケースカバー１０の吸気口部２１に設置されている。排気口５４は、ケースカバー１０の排気口部２２に設置されている。ファン４６は、例えば樹脂製のシロッコファンである。ファン４６は、内部に設けられた複数の羽が回転することで、吸気口４２からトイレルーム１００内の空気を吸引し、吸引した空気を排気口５４からトイレルーム１００へ吐き出す。なお、ファン４６は、シロッコファンには限定されない。このように、ファン４６は便座装置１の外部の空気を吸気口４２より、便座装置１の内部へと吸引する吸引部となっている。
【００４９】
図４に表したように、集塵フィルタ４４は、第１羽板６８の内側に設置されている。集塵フィルタ４４は、吸い込まれる空気の中の塵や埃などが、ファン４６へ送られることを防ぐ。第１羽板６８をケースカバー１０から取り外すことで、集塵フィルタ４４を脱臭装置１６から取り外すことができる。したがって、集塵フィルタ４４を便座装置１から容易に取り外すことができる。これにより、集塵フィルタ４４をより容易に清掃することができる。なお、集塵フィルタ４４は、第１羽板６８と一体的に設けられていてもよい。この場合には、集塵フィルタ４４及び第１羽板６８をケースカバー１０から同時に取り外すことができる。あるいは、集塵フィルタ４４は、吸気口４２の部分に設置されていてもよい。
【００５０】
脱臭フィルタ４８は、ポーラス構造を有する。つまり、脱臭フィルタ４８は、多孔質の構造を有する。
本願明細書において「ポーラス構造」とは、材質の密度が１グラム／立方センチメートル（ｇ／ｃｍ３）であり、１ｇあたり０．５ミリリットル（ｍＬ）以上の水を保持可能な構造をいうものとする。言い換えれば、本願明細書において「ポーラス構造」とは、重さが１ｇの立方体であって一辺の長さが１ｃｍの立方体が０．５ミリリットル（ｍＬ）以上の水を保持可能な構造をいうものとする。
【００５１】
脱臭フィルタ４８の材料は、セラミックを含む。より具体的には、脱臭フィルタ４８の材料は、シリカ（ＳｉＯ２）およびアルミナ（Ａｌ２Ｏ３）を含む。より具体的には、脱臭フィルタ４８は、シリカとアルミナとの混合焼結体である。脱臭フィルタ４８は、ハニカム構造を有する。脱臭フィルタ４８のハニカム構造の具体例については、後述する。脱臭フィルタ４８は、フィルタケース７２に保持されている。
【００５２】
機能水は、噴霧部５０により脱臭フィルタ４８に供給される。脱臭フィルタ４８は、ファン４６と排気口５４との間、即ちファン４６の下流側に設けられている。言い換えれば、ファン４６は、機能水が供給される脱臭フィルタ４８よりも上流側に設置されている。そのため、湿気を含んだ空気が脱臭フィルタ４８からファン４６へ送られることを抑制することができる。よって、ファン４６が湿気により故障することを抑制することができる。
【００５３】
ファン４６から排出された空気は、脱臭フィルタ４８を通過する。そのため、ファン４６が作動する前に便座装置１の内部に溜まった空気は、必ず脱臭フィルタ４８を通過し、悪臭成分が捕集された後にトイレルーム１００へ排出される。よって、ファン４６を作動させた際に、便座装置１の内部に溜まった空気が悪臭成分を捕集又は分解されずにトイレルーム１００へ排出されることを抑制することができる。
【００５４】
脱臭フィルタ４８は、使用者の操作によって、排気口５４から自由に取り出し可能とされている。より具体的には、脱臭フィルタ４８は、フィルタケース７２に保持された状態で取り出し可能とされている。使用者は、フィルタケース７２から脱臭フィルタ４８を取り外すことで、脱臭フィルタ４８を排気口５４から自由に取り出すことができる。このことより、脱臭フィルタ４８の清掃性が向上する。
【００５５】
噴霧部５０は、電磁弁を有し、脱臭フィルタ４８よりも上方に設けられている。噴霧部５０が制御部１８によって開弁動作すると、機能水は、脱臭フィルタ４８の上方から脱臭フィルタ４８に向けて例えば約３秒間以上、５秒間以下程度噴霧される。機能水は、噴霧部５０を頂点にして円錐状に広がりながら噴霧される。噴霧部５０から噴霧される機能水の広がり角度は、約１１０度程度である。
【００５６】
機能水が脱臭フィルタ４８に向けて噴霧されると、脱臭フィルタ４８は、機能水を保持する。噴霧部５０から噴霧される水の径は、例えば約１０マイクロメートル（μｍ）以上、１０００μｍ以下である。そのため、噴霧部５０から噴霧された機能水は脱臭フィルタ４８の材料に浸透する。本願明細書において「浸透」とは、液体が材料にしみ通ることだけではなく、液体がポーラス構造の孔に保持されることを含むものとする。
【００５７】
ファン４６が作動すると、吸気口４２から吸引されたトイレルーム１００内の空気が脱臭フィルタ４８内を通過する。ここで、脱臭フィルタ４８が機能水を保持した状態において、空気が脱臭フィルタ４８内を通過すると、空気の中に含まれる悪臭成分が機能水に取り込まれる。機能水に取り込まれた悪臭成分は、機能水に含まれる次亜塩素酸によって、以下の式のように分解される。
【００５８】
【化３】
0006421929.tif 000004
【００５９】
化学式３に表したように、アンモニア（ＮＨ３）は、次亜塩素酸（ＨＣｌＯ）と反応することで、モノクロラミン（ＮＨ２Ｃｌ）と水（Ｈ２Ｏ）とに変わる。モノクロラミンの臭いは、塩素と同じカルキ臭である。モノクロラミンの臭いによって、使用者は清潔感を感じることができる。分解されずに残った悪臭成分は、機能水に捕集される。そのため、分解されずに残った悪臭成分が空気へ戻ることを抑制することができる。その結果、脱臭フィルタ４８内を通過した空気は、悪臭成分が取り除かれる。
【００６０】
悪臭成分が取り除かれた空気は、排気口５４からトイレルーム１００へ排出される。このように、脱臭装置１６は、トイレルーム１００内に常在する悪臭成分を捕集又は分解することができる。よって、使用者は、トイレルーム１００に入室する度に、トイレルーム１００内に常在する悪臭成分による臭気を吸うことがなくなり、快適にトイレルーム１００を利用できる。
【００６１】
本実施形態によれば、脱臭フィルタ４８は、ポーラス構造を有するため、機能水を保持しやすい。そのため、本実施形態にかかる便座装置１は、より高い脱臭性能を確保することができる。また、機能水は、次亜塩素酸を含む液であるため、アンモニアおよびトリメチルアミンを次亜塩素酸により分解することができる。また、脱臭フィルタ４８の材料がセラミックを含むため、脱臭フィルタ４８は、一定の硬さを有し経年劣化による変形を抑制できる。また、脱臭フィルタ４８は、シリカとアルミナとの混合焼結体であるため、機能水に起因する腐食を抑制することができ、より長期的に使用可能である。さらに、脱臭フィルタ４８がハニカム構造を有するため、吸気口４２から吸い込まれたトイレルーム１００内の空気と、機能水と、の接触面積は、より広い。そのため、アンモニアなどの悪臭成分の分解性能を向上させることができる。
【００６２】
図１および図２に関して前述したように、実施形態の悪臭成分の発生源は、トイレルーム１００の床や壁などに付着した尿であり、大便器２のボウル部２０の悪臭成分の発生源とは異なる。そのため、脱臭装置１６の吸気口４２がケースカバー１０の側面または後方面に設けられた吸気口部２１に設置されると、脱臭装置１６は、脱臭を行いやすい。
【００６３】
ファン４６から排出された空気は、脱臭フィルタ４８の上方から下方に向かって脱臭フィルタ４８を通過する。これにより、脱臭フィルタ４８の中に溜まったスケールや塵などの滞留物を、ファン４６から排出された空気、及び、滞留物自身の重さによって、水受け部５２に払い落とすことができる。そのため、脱臭フィルタ４８に滞留物が溜まりにくくなる。
【００６４】
なお、ファン４６から排出された空気は、脱臭フィルタ４８の下方から上方に向かって脱臭フィルタ４８を通過してもよい。この場合には、スケールや塵などは、脱臭フィルタ４８の下部（脱臭フィルタ４８のうちの風上の部分）に滞留する。一方で、機能水は、脱臭フィルタ４８の上方から脱臭フィルタ４８に向けて噴霧される。これにより、脱臭フィルタ４８の下部に溜まったスケールや塵などの滞留物を、噴霧部５０から噴霧された機能水によって水受け部５２に落とすことができる。
【００６５】
図４および図５に表したように、水受け部５２は、ケースプレート８に向かって開口した排水口５６を有する。水受け部５２の底面は、排水口５６に向かって傾斜している。これにより、水受け部５２へ流れた機能水は、水受け部５２の底面に溜まることなく排水口５６に向かって流れる。
【００６６】
＜脱臭フィルタの具体構造＞
図７は、脱臭フィルタおよびフィルタケースの具体例を例示する模式的斜視図である。
図８は、脱臭フィルタおよびフィルタケースの具体例を例示する模式的平面図である。
図９は、本実施形態の脱臭フィルタのハニカム構造の具体例を例示する模式的平面図である。
【００６７】
図８（ａ）は、図５に表した矢印Ａ３１の方向にみたときのフィルタケースを表す模式的平面図である。図８（ｂ）は、図５に表した矢印Ａ３１の方向にみたときの上側脱臭フィルタを表す模式的平面図である。図８（ｃ）は、図５に表した矢印Ａ３１の方向にみたときの下側脱臭フィルタを表す模式的平面図である。図８（ｄ）は、上側脱臭フィルタと下側脱臭フィルタを重ねた状態の脱臭フィルタを図５に表した矢印Ａ３１に直行する方向から見た時の模式的側面図である。
つまり、図８（ａ）乃至図８（ｃ）は、上方から下方へ向かって眺めたときの上側脱臭フィルタ、下側脱臭フィルタおよびフィルタケースの具体例を例示する模式的平面図であり、図８（ｄ）は、前方から後方へ向かって眺めたときの上側脱臭フィルタと下側脱臭フィルタを重ねた状態の脱臭フィルタの具体例を例示する模式的側面図である。
図９（ａ）は、四角柱の孔が並んだ構造を表す模式的平面図である。図９（ｂ）は、三角柱の孔が並んだ構造を表す模式的平面図である。図９（ｃ）は六角柱の孔が並んだ構造を表す模式的平面図である。図９（ａ）〜図９（ｃ）は、図５に表した矢印Ａ３１の方向にみたときの脱臭フィルタを拡大して眺めた模式的平面図である。
【００６８】
図７に表したように、脱臭フィルタ４８は、フィルタケース７２に保持されている。図８（ｄ）に表したように、脱臭フィルタ４８は、図８（ｂ）に表す上側脱臭フィルタ４９ａ、及び、図８（ｃ）に表す下側脱臭フィルタ４９ｂを重ねることで構成されている。また、図８（ａ）乃至図８（ｃ）に表したように、フィルタケース７２の部分であって脱臭フィルタ４８が保持される部分の第１の方向（図８（ａ）では横方向）の長さＤ１は、上側脱臭フィルタ４９ａの第１の方向の長さＤ３、及び、下側脱臭フィルタ４９ｂの第１の方向の長さＤ５よりも長い。フィルタケース７２の部分であって脱臭フィルタ４８が保持される部分の第２の方向（図８（ａ）では縦方向）の長さＤ２は、上側脱臭フィルタ４９ａの第２の方向の長さＤ４、及び、下側脱臭フィルタ４９ｂの第２の方向の長さＤ６よりも長い。つまり、上側脱臭フィルタ４９ａ及び下側脱臭フィルタ４９ｂを重ねた脱臭フィルタ４８がフィルタケース７２に保持された状態において、脱臭フィルタ４８とフィルタケース７２との間には、隙間が存在する。
【００６９】
これによれば、脱臭フィルタ４８にかかる外力を分散させ、脱臭フィルタ４８の材料がセラミックである場合でも脱臭フィルタ４８が破損することを抑制することができる。例えば、脱臭フィルタ４８をフィルタケース７２に取り付けたり、脱臭フィルタ４８をフィルタケース７２から取り外したりするときに、脱臭フィルタ４８に対して外力がかかることがある。この場合でも、脱臭フィルタ４８とフィルタケース７２との間に隙間が存在するため、脱臭フィルタ４８にかかる外力を分散させ、脱臭フィルタ４８が破損することを抑制することができる。
【００７０】
また、上側脱臭フィルタ４９ａ及び下側脱臭フィルタ４９ｂは、ハニカム構造を有する。図８（ｂ）、図８（ｃ）および図９（ａ）に表した具体例では、上側脱臭フィルタ４９ａ及び下側脱臭フィルタ４９ｂは、四角柱の孔４８ａが並んだ構造を有する。図９（ｂ）に表した具体例のように、本実施形態の上側脱臭フィルタ４９ａ及び下側脱臭フィルタ４９ｂは、三角柱の孔４８ｂが並んだ構造を有していてもよい。あるいは、図９（ｃ）に表した具体例のように、本実施形態の上側脱臭フィルタ４９ａ及び下側脱臭フィルタ４９ｂは、六角柱の孔４８ｃが並んだ構造を有していてもよい。
【００７１】
このように、本願明細書において「ハニカム構造」とは、六角柱の孔が並んだ構造には限定されず、三角柱の孔や四角柱の孔などの立体図形が並んだ構造をいうものとする。  
図９（ａ）〜図９（ｃ）は、上方から下方へ向かって眺めたときに、上側脱臭フィルタ４９ａ及び下側脱臭フィルタ４９ｂのハニカム構造が有する立体図形を表している。
【００７２】
上側脱臭フィルタ４９ａ及び下側脱臭フィルタ４９ｂのハニカム構造が有する立体図形の軸は、上下方向と平行である。上側脱臭フィルタ４９ａ及び下側脱臭フィルタ４９ｂのハニカム構造が有する立体図形の軸とは、図９（ａ）に表した具体例では、四角柱の孔の軸であり、図９（ｂ）に表した具体例では、三角柱の孔の軸であり、図９（ｃ）に表した具体例では、六角柱の孔の軸をいう。
【００７３】
これによれば、水が上側脱臭フィルタ４９ａ及び下側脱臭フィルタ４９ｂの上下方向において十分に行きわたる。そのため、上側脱臭フィルタ４９ａ及び下側脱臭フィルタ４９ｂの略全体が水を保持した状態となる。これにより、本実施形態にかかる便座装置１は、より高い脱臭性能を確保することができる。
【００７４】
また、下側脱臭フィルタ４９ｂのハニカム構造は、上側脱臭フィルタ４９ａのハニカム構造よりも、各四角柱の孔４８ａが大きくなっている。つまり、下側フィルタ４９ｂのハニカム構造は、上側脱臭フィルタ４９ａのハニカム構造よりも荒くなっている。
【００７５】
上側脱臭フィルタ４９ａは細かいハニカム構造を有しているため、上側脱臭フィルタ４９ａに供給された水が表面張力によって四角柱の孔を塞いでしまう場合がある。そうすると、空気が上側脱臭フィルタ４９ａの四角柱の孔を通らなくなるため、脱臭性能が低下してしまう。このような、水の表面張力による上側脱臭フィルタ４９ａのハニカム構造の閉塞を防ぐために、本具体例では、上側脱臭フィルタ４９ａよりも荒いハニカム構造を有する下側脱臭フィルタ４８ｂを、上側脱臭フィルタ４９ａの下に重ねている。
【００７６】
上側脱臭フィルタ４９ａの四角柱の孔を閉塞している水に、上側脱臭フィルタ４９ａよりも大きな四角柱の孔を形成している下側脱臭フィルタ４９ｂのハニカム構造の１辺が接触すると、側脱臭フィルタ４９ａの四角柱の孔を閉塞している水の表面張力が破壊され、上側脱臭フィルタ４９ａの四角柱の孔の閉塞を解消することができる。
【００７７】
このようにすることで、上側脱臭フィルタ４９ａの四角柱の孔が水によって閉塞するのを抑制することができるため、本実施形態に掛かる便座装置１は、より高い脱臭性能を確保することができる。
【００７８】
また、下側脱臭フィルタ４９ｂのハニカム構造は、上側脱臭フィルタ４９ａのハニカム構造よりも荒いため、下側脱臭フィルタ４９ｂの保水量は、上側脱臭フィルタ４９ａの保水量よりも少ない。そのため、脱臭フィルタ４８全体としての保水量を多くするためには、図８（ｄ）に示すように、上側脱臭フィルタ４９ａの厚みＤ７を下側脱臭フィルタ４９ｂの厚みＤ８よりも厚くすることが好ましい。
これにより、保水量の多い上側脱臭フィルタ４９ａの体積を大きくすることができるため、脱臭フィルタ４８全体としての保水量を多くすることができる。
【００７９】
＜脱臭フィルタの洗浄方法＞
図１０は、本実施形態にかかる便座装置の内部を表す模式的平面図である。
図１０を参照しつつ、本実施形態の脱臭フィルタの洗浄について説明する。
【００８０】
図３〜図６に関して前述したように、本実施形態の脱臭装置１６は、機能水を保持した脱臭フィルタ４８に空気を通過させることにより空気の中に含まれる悪臭成分を捕集又は分解する。そのため、臭気の原因となる物質が脱臭フィルタ４８に吸着する。脱臭フィルタ４８のメンテナンスを行わないと、脱臭フィルタ４８の脱臭性能を確保できない場合がある。
【００８１】
これに対して、本実施形態の制御部１８は、脱臭フィルタ４８の洗浄動作を行う制御を実行する。制御部１８は、使用者の不使用時間帯に脱臭フィルタ４８の最大保水量以上の機能水を脱臭フィルタ４８に供給する。制御部１８は、所定時間の間に複数回にわたって機能水を脱臭フィルタ４８に供給してもよい。この場合には、複数回の供給の合計量が脱臭フィルタ４８の保水量以上になってもよい。あるいは、複数回の供給のそれぞれの量が脱臭フィルタ４８の保水量以上であってもよい。「所定時間」とは、例えば約１分間以上、１０分間以内程度である。「不使用時間帯」の詳細については、後述する。
【００８２】
脱臭フィルタ４８の最大保水量は、約２０ｍＬ程度である。脱臭フィルタ４８を洗浄する際には、噴霧部５０は、約１００ｍＬ以上、１５０ｍＬ以下程度の機能水を脱臭フィルタ４８に向けて噴霧する。つまり、噴霧部５０は、脱臭フィルタ４８の最大保水量以上の水を噴霧することで、脱臭フィルタ４８を洗浄することができる。これにより、機能水の噴霧よりも前に、脱臭フィルタ４８に保持された機能水が捕集した悪臭成分を洗い流すことができる。
【００８３】
脱臭フィルタ４８の洗浄に利用した機能水は、脱臭フィルタ４８よりも下方に位置する水受け部５２に流れる。水受け部５２へ流れた機能水は、水受け部５２の排水口５６から排出されケースプレート８の上面へ導かれる。
【００８４】
図１０に表したように、ケースプレート８の上面には、リブ５８が設けられている。リブ５８は、ケースプレート８の上面から上方へ向かって突出し、排出流路６０を形成する。排出流路６０は、脱臭フィルタ４８を通過した水を排出する。例えば、排出流路６０は、脱臭フィルタ４８を洗浄した機能水を排出する。排出流路６０は、ボウル部排出用孔６２を有する。ボウル部排出用孔６２は、ノズル洗浄室４０が設置される位置に隣接するように設けられている。ボウル部排出用孔６２は、ケースプレート８の前方部に設けられている。リブ５８は、線状に設けられ、排水口５６（図４および図５参照）から排出された機能水をボウル部排出用孔６２へ導く。
【００８５】
排出流路６０は、前方に向かって下方へ傾斜している。これにより、図１０に表した矢印Ａ２１〜矢印Ａ２７のように、排水口５６から排出された機能水は、重力に従い前方に向かって排出流路６０を流れる。これにより、排水口５６から排出された機能水をより容易にボウル部排出用孔６２へ導くことができる。
【００８６】
ボウル部排出用孔６２へ導かれた機能水は、大便器２のボウル部２０へ排出される。これにより、脱臭フィルタ４８の洗浄に利用した機能水であって、悪臭成分を捕集した機能水は、ボウル部２０へ排出される。ボウル部２０では、水による洗浄が頻繁に行われる。これにより、機能水が付着した部位が乾いて臭いが発生することを抑え、使用者が不快感を感じることを抑えることができる。
【００８７】
ボウル部排出用孔６２は、ノズル洗浄室４０を設置する位置に隣接している。そのため、ノズル洗浄室４０が洗浄ノズル１４の胴体洗浄を行った際に、洗浄ノズル１４の胴体洗浄に利用した機能水は、排出流路６０の一部を流れボウル部排出用孔６２からボウル部２０へ排出される。つまり、洗浄ノズル１４の胴体洗浄に利用した機能水は、水受け部５２の排水口５６から排出された機能水が流れる排出流路６０の一部を流れる。その結果、排出流路６０の一部及びボウル部排出用孔６２は、洗浄ノズル１４の胴体洗浄を行った水により洗浄される。これにより、悪臭成分を捕集した機能水が乾いた後に排出流路６０及びボウル部排出用孔６２から臭いが発生することを抑えることができ、使用者が不快感を感じることを抑えることができる。
【００８８】
また、洗浄ノズル１４は、ケースプレート８とケースカバー１０との間の空間に収納された状態において、吐水部１５が有する全ての吐水孔から機能水を吐出することにより吐水部１５の部分を洗浄することができる（セルフクリーニング）。このとき、洗浄ノズル１４の吐水部１５の部分は、ノズル洗浄室４０の中に収容されている。そのため、吐水部１５から吐出された機能水は、ノズル洗浄室４０の内壁で反射して吐水部１５の部分にかかる。これにより、吐水部１５の部分は、ノズル洗浄室４０の内壁で反射した機能水によっても洗浄される。
【００８９】
セルフクリーニングに利用された機能水は、排出流路６０の一部を流れ、ボウル部排出用孔６２からボウル部２０へ排出される。つまり、セルフクリーニングに利用された機能水は、水受け部５２の排水口５６から排出された機能水が流れる排出流路６０の一部を流れる。その結果、排出流路６０の一部及びボウル部排出用孔６２は、セルフクリーニングを行った水により洗浄される。これにより、悪臭成分を捕集した機能水が乾いた後に排出流路６０及びボウル部排出用孔６２から臭いが発生することを抑えることができ、使用者が不快感を感じることを抑えることができる。
【００９０】
また、ボウル部排出用孔６２は、ノズル洗浄室４０を設置する位置に隣接しているため、脱臭フィルタ４８の洗浄に用いた機能水のボウル部２０への排出位置は、セルフクリーニング及び洗浄ノズル１４の胴体洗浄に用いた機能水のボウル部２０への排出位置と隣接する。このことにより、脱臭フィルタ４８の洗浄に用いた機能水がボウル部２０に排出された際に、使用者が、便座装置１の故障だと認識してしまうことを抑えることができる。
【００９１】
＜便座装置の動作の具体例＞
次に、本実施形態にかかる便座装置１の動作の具体例について、図面を参照しつつ説明する。  
図１１は、使用頻度の判定方法を説明する表である。
【００９２】
本実施形態の制御部１８は、１日（２４時間）を４５分間ごとに分割して３２個のユニットを形成し、人体検知センサ１３による人体検知の有無を記憶する。図１１に表した表では、３２個のユニットのうちの８個のユニットを例として挙げている。また、図１１に表した表では、人体検知センサ１３が人体を検知した場合には記号「○」が記載されている。一方で、人体検知センサ１３が人体を検知しなかった場合には記号が記載されていない（無記号）。
【００９３】
制御部１８は互いに隣り合う２つのユニット（９０分間）において、人体検知センサ１３が人体を検知した回数（使用者がトイレルーム１００を使用した回数）を８日間にわたって合計する。９０分間における合計回数が０（ゼロ）である場合には、制御部１８は、使用者がトイレルーム１００を「使用しない時間帯」であるとする使用頻度を設定する。９０分間における合計回数が１以上、４未満である場合には、制御部１８は、使用者がトイレルーム１００を「あまり使用しない時間帯」であるとする使用頻度を設定する。９０分間における合計回数が４以上である場合には、制御部１８は、使用者がトイレルーム１００を「使用する時間帯」であるとする使用頻度を設定する。
【００９４】
例えば、図１１に表した太い枠線で囲まれた２つのユニット（９０分間）では、人体検知センサ１３が人体を検知した回数の８日間にわたる合計は、「３」である。そのため、制御部１８は、図１１に表した太い枠線で囲まれた２つのユニットの使用頻度を「あまり使用しない時間帯（少）」に設定する。
【００９５】
＜脱臭動作の説明＞
図１２は、本実施形態にかかる制御部１８における脱臭動作の具体例を示すフローチャート図である。図１３は、本実施形態にかかる制御部１８において、トイレルーム１００内の温度が１０度未満である場合の、動作の具体例を例示するタイミングチャート図である。図１４は、本実施形態にかかる制御部１８において、トイレルーム１００内の温度が１０度以上３０度未満である場合の、動作の具体例を例示するタイミングチャート図である。図１５は、本実施形態にかかる制御部１８において、トイレルーム１００内の温度が３０度以上である場合の、動作の具体例を例示するタイミングチャート図である。
【００９６】
＜フローチャートの説明＞
図１２を用いて、本具体例の制御部１８で実行される制御について説明する。なお、図１２は制御部１８で実行される脱臭動作について説明するためのフローチャートであるため、人体検知センサ１３による人体検知の有無の記憶処理、使用頻度の設定処理、及び、洗浄ノズル１５による使用者の局部洗浄処理等については省略している。
【００９７】
便座装置１及び制御部１８に電源が投入されると、制御部１８は電源が切られるまで図１２のステップＳ０〜Ｓ１１の処理を繰り返し実行する。図１２に示すように、制御部１８はステップＳ０から動作を開始する。まず、制御部１８は、ステップＳ１において、現在時刻が「使用する時間帯」の例えば６７．５分前であるか、または、「使用する時間帯」であるかを判定する。もし、現在時刻が「使用する時間帯」の６７．５分前、または、「使用する時間帯」の何れかである場合には、ステップＳ２に進み、そうでない場合には、ステップＳ１を繰り返す。
【００９８】
つまり、制御部１８は、「使用する時間帯」の１．５ユニット前に相当する６７．５分前から後述する水供給手段８２、乾燥時間設定手段８０、及び脱臭手段８４を実行する脱臭動作を開始し、「使用する時間帯」が経過するまで脱臭動作を継続する。そして、それ以外の時間帯においては脱臭動作を停止している。
【００９９】
このように、使用頻度が「使用する時間帯」となる６７．５分前から脱臭動作を実行することで、使用者がトイレルーム１００に入室する可能性がより高い時間帯となる前に、トイレルーム１００内に常在する臭気を取り除くことができる。したがって、使用者が、トイレルーム１００内に常在する臭気を吸うことで、不快感を感じることを抑制することができる。
【０１００】
なお、本具体例においては、制御部１８は使用頻度が「使用する時間帯」となる６７．５分前から脱臭動作を実行すると説明したが、脱臭動作を開始する時間についてはこれに限定されるものではなく、使用頻度が高くなる時間帯となる前にトイレルーム１００内に常在する臭気を取り除くことができるものであれば、脱臭動作を開始する時間は適宜変更することができる。
【０１０１】
ステップＳ１において脱臭動作が開始されると、続いて、制御部１８はステップＳ２に処理を進める。制御部１８は、ステップＳ２において温度検知部１７の出力に基づいてトイレルーム１００内の空気の温度である室温Ｔを環境温度として検知する。
【０１０２】
次に、制御部１８はステップＳ２で検知したトイレルーム１００内の室温Ｔより、ステップＳ３〜ステップＳ５の何れか１つを選択して実行する。ステップＳ３〜Ｓ５では、後述するステップＳ６において、予め定められた供給水量の機能水が供給された脱臭フィルタ４８が乾燥するまでに掛かる乾燥時間が設定される。
【０１０３】
具体的には、室温Ｔが３０度以上である場合には、制御部１８はステップＳ３を実行し、乾燥時間を４５分に設定する。また、室温Ｔが１０度以上３０度未満である場合には、制御部１８はステップＳ４を実行し、乾燥時間を６７．５分に設定する。また、室温Ｔが１０度未満である場合には、制御部１８はステップＳ５を実行し、乾燥時間を９０分に設定する。
【０１０４】
乾燥時間設定手段８０において、乾燥時間が設定された後、制御部１８はステップＳ６を実行し、噴霧部５０から脱臭フィルタ４８に機能水を供給する。このとき噴霧部５０は、例えば約３秒間以上、５秒間以下にわたって約１２ｍＬ以上、１５ｍＬ以下程度の機能水を脱臭フィルタ４８に向かって噴霧する。これによって、脱臭フィルタ４８は、最大保水量（約２０ｍＬ）の機能水を保持した状態となる。
【０１０５】
従って、本具体例の制御部１８において、ステップＳ６は、噴霧部５０に脱臭フィルタ４８へ予め定められた供給水量の機能水を供給するように指示する水供給手段８２となっている。なお、水供給手段８２において噴霧部５０から脱臭フィルタ４８に供給される機能水の量は一定であり、温度検知部１７によって検知される室温Ｔに応じて変化しない。
【０１０６】
なお、図１２に示した本具体例の制御部１８においては、ステップＳ６に示す水供給手段８２を、ステップＳ３〜Ｓ５に示す乾燥時間設定手段８０の後に実行しているが、本具体例の制御部１８の動作はこれに限定されるものではなく、例えば、水供給手段８２をステップＳ２の室温Ｔを検知する前に行っても良いし、乾燥時間設定手段であるステップＳ３〜Ｓ５の前に行っても良い。
【０１０７】
続いて、制御部１８は、ステップＳ６において脱臭フィルタ４８に機能水を供給した後、ステップＳ７〜Ｓ１０に示す脱臭手段８４を実行する。具体的には、まず、ステップＳ７において、水供給手段８２の実行を禁止し、噴霧部５０から機能水が供給されないようにする。これにより、脱臭フィルタ４８には、ステップＳ６において水供給手段が実行されてから、後述するステップＳ１０において水供給手段８２の禁止が解除されるまで、脱臭フィルタ４８に新たに機能水が供給されないようにしている。
【０１０８】
そして、制御部１８はステップＳ８を実行し、ファン４６を作動させる。これにより、ファン４６によって吸気口部２１から吸い込まれた空気が機能水を保持した状態の脱臭フィルタ４８を通過するため、空気に含まれる悪臭成分は、脱臭フィルタ４８によって捕集又は分解される。
【０１０９】
また、ステップＳ８において、制御部１８は図示しないタイマをスタートさせる。そして、続くステップＳ９で、制御部１８はこのタイマの値から、ステップＳ３〜Ｓ５で設定された乾燥時間が経過したかどうかを確認する。制御部１８は、もし乾燥時間が経過していなければステップＳ９を繰り返し、乾燥時間が経過していればステップＳ１０に処理を進める。ステップＳ１０では、水供給手段８２の禁止を解除する。そのため、噴霧部５０から機能水の供給が可能となる。また、これと同時にファン４６を停止させる。
【０１１０】
ステップＳ７において噴霧部５０からの機能水供給が停止されてからステップＳ１０で機能水供給の禁止が解除されるまでは、水供給手段８２の実行が禁止されているため脱臭フィルタ４８に対して新たに機能水が供給されない。
そのため、乾燥時間が経過するまでは、ステップＳ６の水供給手段８２で供給された機能水を保持した脱臭フィルタ４８によってファン４６が吸引した空気の脱臭が行われると共に、乾燥時間が経過してステップＳ１０を実行する時には、脱臭フィルタ４８はステップＳ６で供給された機能水が蒸発し、乾燥した状態となっている。
【０１１１】
このように、本具体例の制御部１８においては、ステップＳ３〜Ｓ５は、温度検知部１７の検知に基づいて予め定められた供給水量の機能水が供給された脱臭フィルタ４８の乾燥にかかる乾燥時間を設定する乾燥時間設定手段８０となっている。また、ステップＳ７〜Ｓ１０は、ステップＳ６において水供給手段８２が実行された後に、ファン４６を作動させて空気の脱臭を行い、乾燥時間が経過するまで水供給手段８２の実行を禁止し、脱臭フィルタ４８を乾燥させる脱臭手段８４となっている。なお、本願明細書において脱臭フィルタ４８の「乾燥」とは、水を吸収あるいは保持した脱臭フィルタ４８の重さが、水を吸収あるいは保持する前の脱臭フィルタ４８の重さに戻った状態をいうものとする。
【０１１２】
制御部１８はステップＳ１０を実行すると、ステップＳ１１において脱臭制御の一連の処理を終了する。そして、制御部１８は引き続き電源が投入されている場合にはステップＳ０に戻り、再びステップＳ０〜Ｓ１１の処理を繰り返す。
【０１１３】
＜タイミングチャートの説明＞
次に、図１２で示した本具体例の制御部１８で実行される脱臭動作における、ファン４６、噴霧部５０、及び、脱臭フィルタ４８の状態について図１３〜１５に示すタイミングチャート図を用いて説明する。
図１３〜１５は、それぞれ温度検知部１７で検知される室温Ｔが、１０度未満の場合、１０度以上３０度未満の場合、及び、３０度以上の場合での状態を示したものである。
【０１１４】
まず、図１３を用いて室温Ｔが１０度未満の場合について説明する。なお、図１３に示す、本具体例の制御部１８の動作では、使用者がトイレルーム１００を使用してから８日以上が経過しているものである。
【０１１５】
図１３に示すように、本具体例の制御部１８は使用頻度が「使用する時間帯」の１．５ユニット（６７．５分）前になると、図１２に示したステップＳ１の条件に合致するため、ステップＳ２以降の脱臭動作が実行される。そのため、図１３に示すタイミングｔ１において乾燥時間設定手段８０、及び、水供給手段８２が実行され、噴霧部５０から、例えば約３秒間以上、５秒間以下程度にわたって約１２ｍＬ以上、１５ｍＬ以下程度の機能水が脱臭フィルタ４８に向かって噴霧される。これによって、脱臭フィルタ４８は、最大保水量の機能水を保持する。また、図１３においては室温Ｔが１０度未満となっているため、乾燥時間設定手段８０において、ステップＳ５が選択して実行され、乾燥時間は９０分に設定される。
【０１１６】
タイミングｔ１において、脱臭フィルタ４８に機能水が供給されたあと、タイミングｔ１〜ｔ２に掛けて、脱臭手段８４が実行される。そのため、ファン４６が作動を開始し、吸気口部２１から吸い込まれた空気が機能水を保持した状態の脱臭フィルタ４８を通過するため、空気に含まれる悪臭成分は、脱臭フィルタ４８によって捕集又は分解される。
【０１１７】
脱臭手段８４が実行されている間は、噴霧部５０からの機能水の供給が禁止されているため、脱臭フィルタ４８に対して新たに機能水は供給されない。そのため、脱臭フィルタ４８はタイミングｔ１から時間の経過とともに徐々に乾燥していき、乾燥時間である９０分が経過したタイミングｔ２では乾燥した状態となる。
一方で、タイミングｔ１〜ｔ２の間においては脱臭フィルタ４８は徐々に乾燥していくものの、機能水を保持しているため脱臭フィルタ４８を通過する空気に含まれる悪臭成分を捕集又は分解することができる。
【０１１８】
図１３に示すタイミングｔ２において乾燥時間が経過すると、図１２に示すステップＳ１０が実行され水供給手段８２の禁止が解除される。また、ファン４６の作動が停止される。その後、ステップＳ１１が実行され図１２に示す一連の脱臭動作が終了する。
【０１１９】
本具体例の制御部１８は、タイミングｔ２以降も引き続き動作を継続するため、制御部１８は再び図１２に示すステップＳ０〜Ｓ１１の実行を繰り返す。そのため、タイミングｔ２において、再びステップＳ１が実行される。タイミングｔ２における使用頻度は、「使用する時間帯」となっているため、ステップＳ１の条件が満たされ、制御部１８は図１２のステップＳ２以降の脱臭動作を実行する。
【０１２０】
これにより、タイミングｔ２において、乾燥時間設定手段８０、水供給手段８２、及び、脱臭手段８４が実行される。
【０１２１】
タイミングｔ２において、水供給手段８２が実行されるときには、タイミングｔ１〜ｔ２の乾燥時間が経過した後であるため、脱臭フィルタ４８は乾燥した状態となっている。そのため、タイミングｔ１で機能水を供給したときと同じ状態で機能水が供給される。つまり、タイミングｔ２において、噴霧部５０から供給され脱臭フィルタ４８に保持される機能水の量と、排水口５２から排水される機能水の量は、タイミングｔ１と等しくなる。
一方で、脱臭フィルタ４８が機能水を保持している状態で新たに機能水が供給された場合では、脱臭フィルタ４８が乾燥した状態で機能水が供給される場合に比べて、排水口５２から排水される機能水の量が多くなる。
【０１２２】
このように、本具体例の制御部１８で実行される脱臭動作においては、乾燥時間が経過するまでは、脱臭手段８４によって水供給手段８２の実行が禁止されるため、一旦水供給手段８２が実行されると、乾燥時間が経過するまでは水供給手段８２は実行されない。そのため、水供給手段８２は乾燥時間が経過し、脱臭フィルタ４８が乾燥した状態となってから脱臭フィルタ４８に機能水を供給することができる。これによって、脱臭フィルタ４８が乾燥していない状態で機能水を供給する場合に比べて、より多くの機能水が脱臭フィルタ４８に保持され、脱臭フィルタ４８に保持されないまま排水口５２から排水される機能水を少なくすることができる。
【０１２３】
また、乾燥時間が経過すると再度脱臭フィルタ４８に機能水が供給可能となるため、引き続き脱臭動作中であれば再度機能水を供給することで、脱臭フィルタ４８が機能水を保持した状態を保つことができ、ファン４６によって吸引された空気に含まれる悪臭成分を補修又は分解し、脱臭することができる。
【０１２４】
タイミングｔ３において脱臭手段８４の実行が終了した後も制御部１８の動作は継続しているが、タイミングｔ３〜ｔ４に掛けては、図１２に示すステップＳ１の条件が満たされないため、脱臭動作は実行されない。
【０１２５】
そのため、脱臭フィルタ４８はタイミングｔ３〜ｔ４の間においては乾燥した状態が維持される。このように、本具体例の制御部１８では脱臭動作を行っていない場合には、脱臭フィルタ４８を乾燥した状態で維持している。これにより、脱臭フィルタ４８にカビ、又は、細菌等が繁殖することを抑制することができる。
【０１２６】
そして、現在時刻がタイミングｔ４になると、「使用する時間帯」の６７．５分前になるので、図１２に示すステップＳ１の条件が満たされ、再び、脱臭動作が実行される。タイミングｔ４から乾燥時間である９０分が経過した、タイミングｔ５においても使用頻度が「使用する時間帯」となっているため、脱臭動作が繰り返し実行される。
【０１２７】
図１３においては、トイレルーム１００内の室温Ｔが１０度未満の場合について説明したが、室温Ｔが１０度以上３０度未満となると、制御部１８で実行される脱臭制御における、ファン４６、噴霧部５０、及び、脱臭フィルタ４８の状態は図１４に示すようになる。
【０１２８】
図１４においても、使用頻度が「使用する時間帯」となる６７．５分前になると（タイミングｔ７）、図１２に示すステップＳ１の条件が満たされるため、ステップＳ２以降の脱臭動作が実行される。
【０１２９】
室温Ｔが１０度以上３０度未満の場合においても、水供給手段８２によって噴霧部５０から供給される機能水の量は同じであるため、室温Ｔが１０度未満の場合に比べて、脱臭フィルタ４８の乾燥に掛かる時間が短くなる。
【０１３０】
本具体例の制御部１８では、この室温Ｔの変化に応じて乾燥時間設定手段８０において、ステップＳ４が選択して実行されるため、乾燥時間は６７．５分に設定される。そのため、図１４に示すように、室温Ｔが１０度以上３０度未満の場合には、噴霧部５０から機能水を供給してから乾燥時間が経過してファンが停止するまでの時間（タイミングｔ７〜ｔ８）が短くなっている。
【０１３１】
同様にして、トイレルーム１００内の室温Ｔが３０度以上となると、乾燥時間設定手段８０がステップＳ３を選択して実行するため、乾燥時間は４５分に設定される。そのため、図１５に示すように、室温Ｔが３０度以上の場合には、噴霧部５０から機能水を供給してから乾燥時間が経過してファンが停止するまでの時間（タイミングｔ１４〜ｔ１５）は、図１４に示す室温Ｔが１０度以上３０度未満の場合の時間（タイミングｔ７〜ｔ８）に比べて更に短くなっている。
【０１３２】
噴霧部５０からは水供給手段８２によって予め定められた量の機能水が供給されるので、脱臭フィルタ４８が乾燥するまでにかかる乾燥時間はトイレルーム１００内の室温Ｔによって決まる。即ち、供給される機能水の量が同じであれば、室温Ｔが低い場合に比べて室温Ｔが高い場合のほうが、脱臭フィルタ４８が乾燥するまでに掛かる時間が短くなる。
そのため、乾燥時間設定手段８０は室温Ｔが高くなるほど乾燥時間を短く設定することで、室温Ｔに応じて乾燥するまでの時間が変化する脱臭フィルタ４８にあわせて乾燥時間を短く設定することができる。
【０１３３】
これにより、室温Ｔが高い場合に乾燥時間が長く設定されてしまい、脱臭動作中であるにもかかわらず脱臭フィルタ４８に機能水が保持されていない状態となること、及び、室温が低い場合に乾燥時間が短く設定されてしまい、脱臭フィルタ４８が乾燥していない状態で機能水が供給されることを抑制することができる。そのため、脱臭フィルタ４８が乾燥した状態となってから機能水を供給することができ、脱臭フィルタ４８に保持されないまま排出される機能水を少なくすることができる。また、脱臭動作中の間は、脱臭フィルタ４８が機能水を保持した状態に維持することができ、脱臭フィルタ４８による空気の脱臭効果を得ることができる。
【０１３４】
＜第１実施形態の効果＞
以上説明したように、本具体例では、乾燥時間設定手段８０が、水供給手段８２によって供給された機能水が乾燥するまでの時間を温度検知部１７の検知に基づいて設定する。そして、この乾燥時間が経過するまでは、脱臭手段８４によって水供給手段８２の実行が禁止されるため、一旦水供給手段８２を実行すると、乾燥時間が経過するまで水供給手段８２は実行されない。脱臭手段８４によって水供給手段８２の実行が禁止されている間はファン４６によって吸引された空気が脱臭フィルタ４８を通過することで、便座装置１の外部の空気に含まれる悪臭成分が脱臭される。また、吸引された空気が通過することで脱臭フィルタ４８は徐々に乾燥していき、乾燥時間が経過すると水供給手段８２によって供給された機能水が乾燥した状態となる。つまり乾燥時間設定手段８０では、温度検知部１７の検知に基づいて予め定められた供給水量の機能水が供給された脱臭フィルタ４８が乾燥した状態となるまでに掛かる時間を乾燥時間として設定する。
【０１３５】
そのため、水供給手段８２は乾燥時間が経過し、脱臭フィルタ４８が乾燥した状態となってから脱臭フィルタ４８に機能水を供給することができる。これによって、脱臭フィルタ４８が乾燥していない状態で機能水を供給する場合に比べて、より多くの機能水が脱臭フィルタ４８に保持され、脱臭フィルタ４８に保持されないまま排出される機能水を少なくすることができる。
また、乾燥時間が経過すると再度脱臭フィルタ４８に機能水が供給可能となるため、引き続き脱臭フィルタによる脱臭を行う場合は再度機能水を供給することで、脱臭フィルタ４８が機能水を保持した状態を保つことができファン４６から吸引された空気に含まれる臭気を脱臭することができる。
【０１３６】
また、噴霧部５０からは予め定められた供給水量の機能水が供給されるので、脱臭フィルタ４８が乾燥するまでにかかる乾燥時間はトイレルーム１００内の室温Ｔによって決まる。即ち、供給される機能水の量が同じであれば、室温Ｔが低い場合に比べて室温Ｔが高い場合の方が、脱臭フィルタ４８が乾燥するまでに掛かる時間が短くなる。
そのため、乾燥時間設定手段８０は、室温Ｔが高くなるほど乾燥時間を短く設定することで、室温Ｔに応じて乾燥するまでの時間が変化する脱臭フィルタ４８に合わせて乾燥時間を設定することができる。
【０１３７】
これにより、室温Ｔが高い場合に乾燥時間が長く設定されていまい、乾燥時間の途中であるにもかかわらず脱臭フィルタ４８に水が保持されていない状態となること、及び、室温Ｔが低い場合に乾燥時間が短く設定されてしまい、脱臭フィルタ４８が乾燥していない状態で機能水が供給されることを抑制することができる。
従って、このような構成によれば、脱臭フィルタ４８が乾燥した状態になってから機能水を供給することができ、脱臭フィルタ４８に保持されないまま排出される機能水を少なくすることができる。また、設定された乾燥時間が経過するまでの間、脱臭フィルタ４８が機能水を保持した状態に保つことができる。
【０１３８】
＜第２実施形態＞
続いて、図１６乃至図１８を用いて本発明の第２実施形態における制御部１８について説明する。
【０１３９】
図１６は第２実施形態にかかる制御部１８における脱臭動作の具体例を示すフローチャート図である。
図１７は、第２実施形態にかかる制御部１８において、トイレルーム１００内の温度が１０度未満である場合の、動作の具体例を例示するタイミングチャート図である。
図１８（ａ）は、第２実施形態にかかる制御部１８において、トイレルーム１００内の温度が１０度以上３０度未満である場合の動作の具体例を例示するタイミングチャート図である。
図１８（ｂ）は、第２実施形態にかかる制御部１８において、トイレルーム１００内の温度が３０度以上である場合の動作の具体例を例示するタイミングチャート図である。
【０１４０】
＜フローチャートの説明＞
図１６を用いて、第２実施形態にかかる制御部１８で実行される制御について説明する。なお、図１６は制御部１８で実行される脱臭動作について説明するためのフローチャートであるため、人体検知センサ１３による人体検知の有無の記憶処理、使用頻度の設定処理、及び、洗浄ノズル１５による使用者の局部洗浄処理等については省略している。
【０１４１】
図１６に示すように、制御部１８はステップＳ２０から動作を開始する。第１実施形態と同様に、制御部１８はステップＳ２１において、現在時刻が「使用する時間帯」の６７．５分前であるか、または、「使用する時間帯」であるかを判定する。もし、現在時刻が「使用する時間帯」の６７．５分前、または、「使用する時間帯」の何れかである場合には、ステップＳ２２に進み、そうでない場合には、ステップＳ２１を繰り返す。
【０１４２】
そしてステップＳ２１の条件が満たされると、ステップＳ２２に進み脱臭動作が開始される。制御部１８は、ステップＳ２２において温度検知部１７の出力に基づいてトイレルーム１００内の室温Ｔを検知する。
【０１４３】
次に、制御部１８はステップＳ２２で検知したトイレルーム１００内の室温Ｔより、ステップＳ２３〜ステップＳ２５の何れか１つを選択して実行する。ステップＳ２３〜Ｓ２５では、後述するステップＳ２６において、噴霧部５０から脱臭フィルタ４８に供給される供給水量が設定される。
【０１４４】
具体的には、室温Ｔが３０度以上である場合には、制御部１８はステップＳ２３を実行し、供給水量を１４ｍＬに設定する。また、室温Ｔが１０度以上３０度未満である場合には、制御部１８はステップＳ２４を実行し、供給水量を１０ｍＬに設定する。また、室温が１０度未満である場合には、制御部１８はステップＳ２５を実行し、供給水量を６ｍＬに設定する。すなわち、第２実施形態の制御部１８においては、ステップＳ２３〜Ｓ２５は、温度検知部１７の検知に基づいて脱臭フィルタ４８に供給する供給水量を設定する水供給量設定手段９０となっている。なお、ステップＳ２３において室温Ｔに応じて設定される供給水量は脱臭フィルタ４８の最大保水量（約２０ｍＬ）よりも少ない水量となっている。
【０１４５】
水供給量設定手段９０において供給水量が設定された後、制御部１８はステップＳ２６を実行し、噴霧部５０から水供給量設定手段９０で設定された供給水量の機能水を脱臭フィルタ４８に供給する。そのため、ステップＳ２６は噴霧部５０に水供給量設定手段９０で設定された供給水量を脱臭フィルタ４８へ供給するように指示する水供給手段９２となっている。
【０１４６】
噴霧部５０から供給される機能水の量は、温度検知部１７によって検知された室温Ｔによって変化する。つまり、噴霧部５０から供給される機能水の量が変化するため、脱臭フィルタ４８に保持される機能水の量も変化する。なお、ここではステップＳ２３で設定される供給水量である１４ｍＬの機能水が脱臭フィルタ４８に供給されたときには、脱臭フィルタ４８も約１４ｍＬの機能水を保持した状態となるものとし、ステップＳ２４、及び、Ｓ２５で設定される１０ｍＬ、及び、６ｍＬの機能水が供給されたときには、供給水量の変化に応じて、脱臭フィルタ４８に保持される機能水の量も変化する。例えば、１０ｍＬの機能水を供給したときには、脱臭フィルタ４８の保水量も約１０ｍＬとなり、６ｍＬの機能水を供給したときには、脱臭フィルタ４８の保水量も約６ｍＬとなるものである。
【０１４７】
続いて、制御部１８は、ステップＳ２６において脱臭フィルタ４８に機能水を供給した後、ステップＳ２７〜Ｓ３０に示す脱臭手段９４を実行する。具体的には、まず、ステップＳ２７において、水供給手段９２の実行を禁止し、噴霧部５０から機能水が供給されないようにする。これにより、脱臭フィルタ４８には、ステップＳ２６において水供給手段が実行されてから、後述するステップＳ３０において水供給手段９２の禁止が解除されるまで、脱臭フィルタ４８に新たに機能水が供給されないようにしている。
【０１４８】
そして、制御部１８はステップＳ２８を実行し、ファン４６を作動させる。これにより、ファン４６によって吸気口部２１から吸い込まれた空気が機能水を保持した状態の脱臭フィルタ４８を通過するため、空気に含まれる悪臭成分は、脱臭フィルタ４８によって捕集又は分解される。
【０１４９】
また、ステップＳ２８において、制御部１８は図示しないタイマをスタートさせる。そして、続くステップＳ２９で、制御部１８はこのタイマの値から、予め定められた乾燥時間が経過したかどうかを確認する。なお、第２実施形態において、この予め定められた乾燥時間は６７．５分となっている。そのため、制御部１８は、もし乾燥時間である６７．５分が経過していなければステップＳ２９を繰り返し、経過していればステップＳ３０に処理を進める。ステップＳ３０では、水供給手段９２の禁止を解除する。そのため、噴霧部５０から機能水の供給が可能となる。また、これと同時にファン４６を停止させる。
【０１５０】
ステップＳ２７において噴霧部５０からの機能水供給が停止されてからステップＳ３０で機能水供給の禁止が解除されるまでは、水供給手段８２の実行が禁止されているため脱臭フィルタ４８に対して新たに機能水が供給されない。
そのため、予め定められた乾燥時間が経過するまでは、ステップＳ２６の水供給手段９２で供給された機能水を保持した脱臭フィルタ４８によってファン４６が吸引した空気の脱臭が行われると共に、乾燥時間が経過してステップＳ３０を実行する時には、脱臭フィルタ４８はステップＳ２６で供給された機能水が蒸発し、乾燥した状態となっている。
【０１５１】
このように、ステップＳ２７〜Ｓ３０は、ステップＳ２６の水供給手段９２によって供給水量の機能水が脱臭フィルタ４８に供給された後に、ファン４６を作動して空気の脱臭を行い、予め定められた乾燥時間が経過するまでは、水供給手段９２による水の供給を禁止し、脱臭フィルタ４８を乾燥させる脱臭手段９４となっている。
【０１５２】
制御部１８はステップＳ３０を実行すると、ステップＳ３１において脱臭制御の一連の処理を終了する。そして、引き続き制御部１８が動作を継続する場合にはステップＳ２０に戻り、再びステップＳ２０〜Ｓ３１の処理を繰り返す。
【０１５３】
＜タイミングチャートの説明＞
次に、図１６で示した第２実施形態の制御部１８で実行される脱臭動作における、ファン４６、噴霧部５０、及び、脱臭フィルタ４８の状態について図１７及び図１８に示すタイミングチャート図を用いて説明する。
【０１５４】
まず、図１７を用いて室温Ｔが１０度未満の場合について説明する。なお、図１７において、使用頻度の情報については第１実施形態と変わらないため、使用頻度に関する情報については図示を省略している。
【０１５５】
図１７に示すように、第２実施形態の制御部１８においても、現在時刻が「使用する時間帯」の１．５ユニット（６７．５分）前になると、図１６に示したステップＳ２１の条件が満たされるため、ステップＳ２２以降の脱臭動作が実行される。そのため、図１７に示すタイミングｔ２３において、水供給量設定手段９０、及び、水供給手段９２が実行される。
【０１５６】
図１７においては、室温Ｔが１０度未満となっているため、水供給量設定手段９０において、ステップＳ２５が選択して実行され、供給水量は６ｍＬに設定される。その後、タイミングｔ２３において水供給手段９２が実行され、タイミングｔ２３〜ｔ２４にかけて噴霧部５０から脱臭フィルタ４８に機能水が供給される。機能水が供給されるタイミングｔ２３〜ｔ２４は例えば２秒間程度であり、これによって水供給量設定手段９０で設定された供給水量である６ｍＬの機能水が脱臭フィルタ４８に供給される。また、脱臭フィルタ４８は噴霧部５０から供給された機能水によって約６ｍＬの機能水を保持する。
【０１５７】
タイミングｔ２４において機能水の供給が終了すると、制御部１８はタイミングｔ２４〜ｔ２５にかけて脱臭手段９４を実行する。そのため、タイミングｔ２４以降は水供給手段９２の実行が禁止される。また、ファン４６が作動を開始し、吸気口部２１から吸い込まれた空気が機能水を保持した状態の脱臭フィルタ４８を通過するため、空気に含まれる悪臭成分は、脱臭フィルタ４８によって捕集又は分解される。
【０１５８】
脱臭手段９４が実行されている間は、噴霧部５０からの機能水の供給が禁止されているため、脱臭フィルタ４８に対して新たに機能水は供給されない。そのため、脱臭フィルタ４８はタイミングｔ２４から時間の経過と共に徐々に乾燥していき乾燥時間である６７．５分が経過したタイミングｔ２５では乾燥した状態となる。
一方で、タイミングｔ２４〜ｔ２５の間においては、脱臭フィルタ４８は徐々に乾燥していくものの、機能水を保持しているため、脱臭フィルタ４８を通過する空気に含まれる悪臭成分を捕集又は分解することができる。乾燥時間である６７．５分が経過したタイミングｔ２５においてステップＳ３０が実行され、水供給手段９２の禁止が解除される。また、ファン４６の作動が停止される。その後、ステップ３１が実行され図１６に示す一連の脱臭動作が終了する。
【０１５９】
本具体例の制御部１８は、タイミングｔ２５以降も引き続き動作を継続するため、制御部１８は再び図１６に示すステップＳ２０〜Ｓ３１の実行を繰り返す。そのため、タイミングｔ２５において、再びステップＳ２１が実行される。タイミングｔ２５における使用頻度は、「使用する時間帯」となっているため、ステップＳ２１の条件が満たされ、制御部１８は図１６のステップＳ２２以降の脱臭動作を実行する。これにより、タイミングｔ２５において、水供給量設定手段９０、及び、水供給手段９２が実行され、タイミングｔ２６において、脱臭手段９４が実行される。
【０１６０】
第２実施形態の制御部１８では、水供給量設定手段９０が温度検知部１７によって検知される室温Ｔに基づいて、脱臭フィルタ４８に供給する供給水量を設定している。つまり、水供給量設定手段９０は、脱臭手段９４が実行される予め定められた乾燥時間（６７．５分間）の間、脱臭フィルタ４８が機能水を保持することができ、かつ、乾燥時間が経過すると脱臭フィルタ４８が乾燥した状態となるような供給水量を設定する。
【０１６１】
そのため、タイミングｔ２５において、水供給手段９２が実行されるときには、タイミングｔ２４〜ｔ２５の予め定められた乾燥時間が経過した後であるため、脱臭フィルタ４８は乾燥した状態となっている。従って、タイミングｔ２３で機能水を供給したときと同じ状態で機能水が供給される。
つまり、タイミングｔ２５において、噴霧部５０から供給され脱臭フィルタ４８に保持される機能水の量は水供給量設定手段９０で設定された供給水量に応じた水量となる。そのため、図１７で示すように、タイミングｔ２５において室温Ｔが１０度未満の場合には、再び６ｍＬの機能水が供給されるため、脱臭フィルタ４８はタイミングｔ２６において、タイミングｔ２４と同じ約６ｍＬの機能水を保持させることができる。これにより、タイミングｔ２６〜ｔ２７に掛けて再び予め定められた乾燥時間が経過すると、脱臭フィルタ４８を乾燥した状態とすることができる。
【０１６２】
一方で、脱臭フィルタ４８が機能水を保持している状態で新たに機能水が供給された場合では、水供給手段９２を実行した後の脱臭フィルタ４８が保時している機能水の水量は、脱臭フィルタ４８が水供給手段９２を実行する際に保持していた機能水と、水供給手段９２によって新たに供給された機能水を合計した量となる。また、この合計した量が脱臭フィルタ４８の最大保水量を越えていた場合には、最大保水量を超過した機能水は排水口５２から排水されてしまう。つまり、脱臭フィルタ４８が乾燥した状態で水供給手段９２が実行される場合に比べて、排水口５２から排水される機能水の量が多くなってしまう場合がある。
【０１６３】
このように、第２実施形態の制御部１８で実行される脱臭動作においては、水供給量設定手段９０によって予め定められた乾燥時間の間で脱臭フィルタ４８が乾燥した状態となる水量を供給水量として設定する。また、この供給水量を水供給手段９２によって供給すると、予め定められた乾燥時間が経過するまで、水供給手段９２は実行されない。
そのため、水供給手段９２は脱臭フィルタ４８が乾燥した状態となってから機能水を供給することができ、脱臭フィルタ４８が乾燥していない状態で機能水を供給する場合に比べて、より多くの機能水が脱臭フィルタ４８に保持され、脱臭フィルタ４８に保持されないまま排出される機能水を少なくすることができる。
【０１６４】
また、乾燥時間が経過すると再度脱臭フィルタ４８に機能水が供給可能となるため、引き続き脱臭動作中であれば再度機能水を供給することで、脱臭フィルタ４８が機能水を保持した状態を保つことができ、ファン４６によって吸引された空気に含まれる悪臭成分を補修又は分解し、脱臭することができる。
【０１６５】
続いて、トイレルーム１００内の室温Ｔが１０度以上３０度未満の場合について、図１８（ａ）を用いて説明する。
【０１６６】
図１８（ａ）においても、制御部１８では、使用頻度が「使用する時間帯」となる６７．５分前になると（タイミングｔ２８）、図１６に示すステップＳ２１の条件が満たされるため、ステップＳ２２以降の脱臭動作が実行される。
【０１６７】
そのため、制御部１８は、ステップＳ２２で室温Ｔを検知したあと、水供給量設定手段９０を実行する。水供給量設定手段９０では、ステップＳ２２で検知された室温Ｔ（１０度以上３０度未満）に応じて、ステップＳ２４が選択して実行される。従って、水供給量設定手段９０は供給水量を１０ｍＬに設定する。
【０１６８】
そして、制御部１８は、図１８（ａ）に示すタイミングｔ２８において水供給手段９２を実行し、タイミングｔ２８〜ｔ２９にかけて噴霧部５０から脱臭フィルタ４８に機能水が供給される。機能水が供給されるタイミングｔ２８〜ｔ２９は例えば３秒間程度であり、図１７に示す室温Ｔが１０度未満の場合に比べて噴霧部５０から機能水を供給する時間が長くなっている。これによって、水供給量設定手段９０で設定された供給水量である１０ｍＬの機能水を脱臭フィルタ４８に供給することができる。また、脱臭フィルタ４８は噴霧部５０から供給された機能水によって約１０ｍＬの機能水を保持する。
【０１６９】
本実施形態の脱臭装置１６では、噴霧部５０の噴霧時間を変えることで脱臭フィルタ４８に供給する機能水の量を変更しているが、噴霧部５０の形態はこれに限定されるものではなく、水供給量設定手段９０で設定された供給水量を供給できるものであればよい。例えば単位時間当たりの供給量を変化させることによって機能水の供給量を変更できるものであっても良い。
【０１７０】
水供給手段９２による機能水の供給が終了すると、タイミングｔ２９〜ｔ３０にかけて脱臭手段９４が実行される。室温Ｔが１０度以上３０度未満の場合においても、脱臭手段９４において実行される乾燥時間は、予め定められた乾燥時間である６７．５分である。
【０１７１】
室温Ｔが１０度以上３０度未満の場合においては、室温Ｔが１０度未満の場合に比べて脱臭フィルタ４８は早く乾燥するため、予め定められた乾燥時間である６７．５分間の間、脱臭フィルタ４８が機能水を保持した状態を維持するためには、脱臭フィルタ４８に保持される機能水の量を多くする必要がある。
【０１７２】
第２実施形態の制御部１８では、この室温Ｔの変化に応じて水供給量設定手段９０において、ステップＳ２４が選択して実行されるため、供給水量は１０度未満の場合に比べて多い、１０ｍＬに設定される。そのため、図１８（ａ）のタイミングｔ２９に示すように、室温Ｔが１０度以上３０度未満の場合には、脱臭フィルタ４８に保持される機能水の量が１０度未満の場合と比べて多い約１０ｍＬとなっている。
【０１７３】
同様にして、トイレルーム１００内の室温Ｔが３０度以上となると、水供給量設定手段９０がステップＳ２３を選択して実行するため、供給水量は１４ｍＬに設定される。そのため、図１８（ｂ）のタイミングｔ３４に示すように、室温Ｔが３０度以上の場合には、脱臭フィルタ４８に保持される機能水の量は、図１８（ａ）に示す室温Ｔが１０度以上３０度未満の場合に比べてさらに多い約１４ｍＬとなっている。
【０１７４】
室温Ｔが低い場合に比べて室温Ｔが高い方が、脱臭フィルタ４８から単位時間当たりに蒸発する機能水の量は多くなる。即ち、同じ乾燥時間であれば、室温Ｔが低い場合に比べて室温Ｔが高い場合の方が、脱臭フィルタ４８から蒸発する機能水の量が多くなる。
そのため、水供給量設定手段９０は、室温Ｔが高くなるほど供給水量を多く設定することで、室温Ｔに応じて蒸発する量が変化する脱臭フィルタ４８に合わせて供給水量を設定することができる。
【０１７５】
これにより、室温Ｔが高い場合には供給水量が少なく設定されてしまい、脱臭動作中であるにもかかわらず脱臭フィルタ４８に機能水が保持されていない状態となること、及び、室温Ｔが低い場合に供給水量が多く設定されていまい、脱臭フィルタ４８が乾燥していない状態で機能水が供給されることを抑制することができる。そのため、脱臭フィルタ４８が乾燥した状態になってから機能水を供給することができ、脱臭フィルタ４８に保持されないまま排出される機能水を少なくすることができる。また、脱臭動作中の間は、脱臭フィルタ４８が機能水を保持した状態に維持することができ、脱臭フィルタ４８による空気の脱臭効果を得ることができる。
【０１７６】
＜第２実施形態の効果＞
以上説明したように、第２実施形態の制御部１８では、水供給量設定手段９０が、水供給手段９２によって供給される機能水の供給水量を温度検知部１７の検知に基づいて設定する。そして、脱臭手段９４によって予め定められた乾燥時間が経過するまでは、水供給手段９２の実行が禁止されるため、一旦水供給手段９２を実行すると、乾燥時間が経過するまで次回の水供給手段９２は実行されない。脱臭手段９４によって水供給手段９２の実行が禁止されている間はファン４６によって吸引された空気が脱臭フィルタ４８を通過することで、便座装置１の外部の空気に含まれる悪臭成分が脱臭される。また、吸引された空気が通過することで脱臭フィルタ４８は徐々に乾燥していき、乾燥時間が経過すると水供給手段９２によって供給された機能水が乾燥した状態となる。つまり、水供給量設定手段９０では、予め定められた乾燥時間の間で脱臭フィルタ４８が乾燥した状態となる水量を供給水量として設定する。
【０１７７】
そのため、水供給手段９２は脱臭フィルタ４８が乾燥した状態となってから機能水を供給することができ、脱臭フィルタ４８が乾燥していない状態で機能水を供給する場合に比べて、より多くの機能水が脱臭フィルタ４８に保持され、脱臭フィルタ４８に保持されないまま排出される機能水を少なくすることができる。
また、乾燥時間が経過すると再度脱臭フィルタ４８に機能水が供給可能となるため、引き続き脱臭フィルタ４８による脱臭を行う場合は再度機能水を供給することで、脱臭フィルタ４８が機能水を保持した状態を保つことができファン４６から吸引された空気に含まれる臭気を脱臭することができる。
【０１７８】
また、室温Ｔが低い場合に比べて室温Ｔが高い方が脱臭フィルタ４８から単位時間当たりに蒸発する水量が多くなる。即ち、同じ乾燥時間であれば、室温Ｔが低い場合に比べて室温Ｔが高い場合の方が、脱臭フィルタ４８から蒸発する水量は多くなる。そのため、水供給量設定手段９０は、室温Ｔが高くなるほど供給水量を多く設定することで、室温Ｔに応じて蒸発する水量が変化する脱臭フィルタ４８に合わせて供給水量を設定することができる。
【０１７９】
これにより、室温Ｔが高い場合には供給水量が少なく設定されてしまい、乾燥時間の途中であるにもかかわらず脱臭フィルタ４８に機能水が保持されていない状態となるいこと、及び、室温Ｔが低い場合に供給水量が多く設定されていまい、脱臭フィルタ４８が乾燥していない状態で機能水が供給されることを抑制することができる。従って、このような構成によれば、脱臭フィルタ４８が乾燥した状態になってから機能水を供給することができ、フィルタに保持されないまま排出される機能水を少なくすることができる。また、予め定められた乾燥時間が経過するまでの間、脱臭フィルタ４８が機能水を保持した状態に保つことができる。
【０１８０】
＜第３実施形態＞
続いて、図１９を用いて本発明の第３実施形態における制御部１８について説明する。図１９は、第３実施形態にかかる制御部１８における脱臭動作の具体例を示すフローチャート図である。なお、図１９は制御部１８で実行される脱臭動作について説明するためのフローチャートであるため、人体検知センサ１３による人体検知の有無の記憶処理、使用頻度の設定処理、及び、洗浄ノズル１５による使用者の局部洗浄処理等については省略している。
【０１８１】
便座装置１及び制御部１８に電源が投入されると、制御部１８は電源が切られるまで図１９のステップＳ４０〜Ｓ５０の処理を繰り返し実行する。図１９に示すように、制御部１８はステップＳ４０から動作を開始する。まず、制御部１８は、ステップＳ４１において、現在時刻が「使用する時間帯」の例えば６７．５分前であるか、または、「使用する時間帯」であるかを判定する。もし、現在時刻が「使用する時間帯」の６７．５分前、または、「使用する時間帯」の何れかである場合には、ステップＳ４２に進み、そうでない場合には、ステップＳ４１を繰り返す。
【０１８２】
つまり、制御部１８は、「使用する時間帯」の１．５ユニット前に相当する６７．５分前から後述する水供給手段８２、乾燥時間設定手段８０、及び脱臭手段８４を実行する脱臭動作を開始し、「使用する時間帯」が経過するまで脱臭動作を継続する。そして、それ以外の時間帯においては脱臭動作を停止している。
【０１８３】
このように、使用頻度が「使用する時間帯」となる６７．５分前から脱臭動作を実行することで、使用者がトイレルーム１００に入室する可能性がより高い時間帯となる前に、トイレルーム１００内に常在する臭気を取り除くことができる。したがって、使用者が、トイレルーム１００内に常在する臭気を吸うことで、不快感を感じることを抑制することができる。
【０１８４】
なお、本具体例においては、制御部１８は使用頻度が「使用する時間帯」となる６７．５分前から脱臭動作を実行すると説明したが、脱臭動作を開始する時間についてはこれに限定されるものではなく、使用頻度が高くなる時間帯となる前にトイレルーム１００内に常在する臭気を取り除くことができるものであれば、脱臭動作を開始する時間は適宜変更することができる。
【０１８５】
ステップＳ１において脱臭動作が開始されると、続いて、制御部１８はステップＳ４２に処理を進める。制御部１８は、ステップＳ４２において温度検知部１７の出力に基づいてトイレルーム１００内の空気の温度である室温Ｔを環境温度として検知する。
【０１８６】
次に、制御部１８は乾燥時間設定手段１００を実行するため、制御部１８はステップＳ４２で検知したトイレルーム１００内の室温Ｔより、ステップＳ４３〜ステップＳ４５の何れか１つを選択して実行する。ステップＳ４３〜Ｓ４５では、後述するステップＳ４６において、予め定められた供給水量の機能水が供給された脱臭フィルタ４８が乾燥するまでに掛かる乾燥時間が設定される。
【０１８７】
乾燥時間設定手段１００において、乾燥時間が設定された後、制御部１８はステップＳ４６の水供給手段１０２を実行し、噴霧部５０から脱臭フィルタ４８に機能水を供給する。このとき噴霧部５０は、例えば約３秒間以上、５秒間以下にわたって約１２ｍＬ以上、１５ｍＬ以下程度の機能水を脱臭フィルタ４８に向かって噴霧する。これによって、脱臭フィルタ４８は、最大保水量（約２０ｍＬ）の機能水を保持した状態となる。なお、水供給手段８２において噴霧部５０から脱臭フィルタ４８に供給される機能水の量は一定であり、温度検知部１７によって検知される室温Ｔに応じて変化しない。
【０１８８】
また、図１２に示した本具体例の制御部１８においては、ステップＳ６に示す水供給手段１０２を、ステップＳ４３〜Ｓ４５に示す乾燥時間設定手段１００の後に実行しているが、本具体例の制御部１８の動作はこれに限定されるものではなく、例えば、水供給手段１０２をステップＳ２の室温Ｔを検知する前に行っても良いし、乾燥時間設定手段１００であるステップＳ４３〜Ｓ４５の前に行っても良い。
【０１８９】
また、第３実施形態における乾燥時間設定手段１００及び水供給手段１０２における制御部１８の動作は、第１実施形態における乾燥時間設定手段８０及び水供給手段９２と同様である。
【０１９０】
続いて、制御部１８は、ステップＳ４６において脱臭フィルタ４８に機能水を供給した後、ステップＳ４７〜Ｓ４９に示す脱臭手段８４を実行する。具体的には、まず、制御部１８はステップＳ４７を実行し、ファン４６を作動させる。これにより、ファン４６によって吸気口部２１から吸い込まれた空気が機能水を保持した状態の脱臭フィルタ４８を通過するため、空気に含まれる悪臭成分は、脱臭フィルタ４８によって捕集又は分解される。
【０１９１】
また、ステップＳ４７において、制御部１８は図示しないタイマをスタートさせる。そして、続くステップＳ４８で、制御部１８はこのタイマの値から、ステップＳ４３〜Ｓ４５で設定された乾燥時間が経過したかどうかを確認する。制御部１８は、もし乾燥時間が経過していなければステップＳ４８を繰り返し、乾燥時間が経過していればステップＳ４９に処理を進める。ステップＳ４９ではファン４６を停止させる。
【０１９２】
そして、制御部１８は、ステップＳ４９において乾燥時間が経過しファン４６を停止したあと、ステップＳ５０において脱臭制御の一連の処理を終了するが、引き続き脱臭フィルタ４８による空気の脱臭を行う場合には、ステップＳ４０に戻り、再びステップＳ４０〜Ｓ５０の処理を繰り返す。そして、ステップＳ４６の水供給手段１０２において、再度脱臭フィルタ４８に機能水を供給する。
【０１９３】
つまり、第３実施形態にかかる制御部１８では、ステップＳ４６において噴霧部５０から機能水が供給された後に、ファン４６を作動して空気の脱臭を行い、乾燥時間設定手段１００で設定された乾燥時間が経過すると、ステップＳ０に戻って再度ステップＳ４０〜Ｓ４６を実行し、脱臭フィルタ４８に機能水を供給する。
【０１９４】
＜第３実施形態の効果＞
以上説明したように、第３実施形態にかかる制御部１８では、乾燥時間設定手段１００が、水供給手段１０２によって供給される機能水が乾燥するまでの時間を温度検知部１７の検知に基づいて設定する。そして、供給水量の機能水が脱臭フィルタ４８に供給された後から乾燥時間が経過するまでファン４６を作動して、機能水を保持した脱臭フィルタ４８に空気を通し脱臭を行うとともに、脱臭フィルタ４８に供給された機能水を乾燥させる。そして、乾燥時間が経過すると脱臭フィルタ４８は乾燥した状態となるので、引き続き脱臭フィルタ４８による空気の脱臭を行う場合は、再度脱臭フィルタ４８に機能水を供給する。つまり乾燥時間設定手段１００では、予め定められた供給水量の機能水が供給された脱臭フィルタ４８が乾燥した状態となるまでに掛かる時間を乾燥時間として設定する。
【０１９５】
そのため、水供給手段１０２は乾燥時間が経過し、脱臭フィルタ４８が乾燥した状態となってから脱臭フィルタ４８に機能水を供給することができる。これによって、脱臭フィルタ４８が乾燥していない状態で機能水を供給する場合に比べて、より多くの機能水が脱臭フィルタ４８に保持され、脱臭フィルタ４８に保持されないまま排出される機能水を少なくすることができる。
【０１９６】
なお、第３実施形態においては、噴霧部５０から機能水が供給されてから乾燥時間が経過するまで、脱臭フィルタ４８への機能水の供給を禁止していないため、例外的な処理が発生し脱臭フィルタ４８に機能水を供給する必要が生じた場合には、乾燥時間が経過する前であっても脱臭フィルタ４８へ機能水を供給しても良い。
【０１９７】
＜第４実施形態＞
続いて、図２０を用いて本発明の第４実施形態における制御部１８について説明する。図２０は、第４実施形態にかかる制御部１８における脱臭動作の具体例を示すフローチャート図である。なお、図２０は制御部１８で実行される脱臭動作について説明するためのフローチャートであるため、人体検知センサ１３による人体検知の有無の記憶処理、使用頻度の設定処理、及び、洗浄ノズル１５による使用者の局部洗浄処理等については省略している。
【０１９８】
図２０に示すように、制御部１８はステップＳ６０から動作を開始する。第１実施形態と同様に、制御部１８はステップＳ６１において、現在時刻が「使用する時間帯」の６７．５分前であるか、または、「使用する時間帯」であるかを判定する。もし、現在時刻が「使用する時間帯」の６７．５分前、または、「使用する時間帯」の何れかである場合には、ステップＳ６２に進み、そうでない場合には、ステップＳ６１を繰り返す。
【０１９９】
そしてステップＳ６１の条件が満たされると、ステップＳ６２に進み脱臭動作が開始される。制御部１８は、ステップＳ６２において温度検知部１７の出力に基づいてトイレルーム１００内の室温Ｔを検知する。
【０２００】
次に、水供給量設定手段１１０を実行するため、制御部１８はステップＳ６２で検知したトイレルーム１００内の室温Ｔより、ステップＳ６３〜ステップＳ６５の何れか１つを選択して実行する。ステップＳ２３〜Ｓ２５では、後述するステップＳ２６において、噴霧部５０から脱臭フィルタ４８に供給される供給水量が設定される。
【０２０１】
そして、水供給量設定手段１１０において供給水量が設定された後、制御部１８はステップＳ６６の水供給手段１１２を実行し、噴霧部５０から水供給量設定手段９０で設定された供給水量の機能水を脱臭フィルタ４８に供給する。なお、第４実施形態において、制御部１８で実行される水供給量設定手段１１０及び水供給手段１１２は、第２実施形態の水供給量設定手段９０及び水供給手段９１と同様の動作となる。
【０２０２】
続いて、制御部１８は、ステップＳ６６において脱臭フィルタ４８に機能水を供給した後、ステップＳ６７〜Ｓ６９に示す脱臭手段１１４を実行する。具体的には、まず、ステップＳ６７を実行し、ファン４６を作動させる。これにより、ファン４６によって吸気口部２１から吸い込まれた空気が機能水を保持した状態の脱臭フィルタ４８を通過するため、空気に含まれる悪臭成分は、脱臭フィルタ４８によって捕集又は分解される。
【０２０３】
また、ステップＳ６７において、制御部１８は図示しないタイマをスタートさせる。そして、続くステップＳ６８で、制御部１８はこのタイマの値から、予め定められた乾燥時間が経過したかどうかを確認する。なお、第４実施形態において、この予め定められた乾燥時間は６７．５分となっている。そのため、制御部１８は、もし乾燥時間である６７．５分が経過していなければステップＳ６８を繰り返し、経過していればステップＳ６９に処理を進める。ステップＳ６９ではファン４６を停止させる。
【０２０４】
そして、制御部１８は、ステップＳ６９において乾燥時間が経過しファン４６を停止したあと、ステップＳ７０において脱臭制御の一連の処理を終了するが、引き続き脱臭フィルタ４８による空気の脱臭を行う場合には、ステップＳ６０に戻り、再びステップＳ６０〜Ｓ７０の処理を繰り返す。そして、ステップＳ６６の水供給手段１１２において、再度脱臭フィルタ４８に機能水を供給する。
【０２０５】
つまり、第４実施形態にかかる制御部１８では、ステップＳ６６において噴霧部５０から水供給量設定手段１１０で設定された供給水量の機能水が供給された後に、ファン４６を作動して空気の脱臭を行い、予め定められた乾燥時間が経過すると、ステップＳ６０に戻って再度ステップＳ６０〜Ｓ６６を実行し、脱臭フィルタ４８に機能水を供給する。
【０２０６】
＜第４実施形態の効果＞
以上説明したように、第４実施形態にかかる制御部１８では、水供給量設定手段１１０が、水供給手段１１２によって供給される機能水の供給水量を温度検知部１７の検知に基づいて設定する。そして、供給水量の機能水が脱臭フィルタ４８に供給された後から予め定められた乾燥時間が経過するまでファン４６を作動して、機能水を保持した脱臭フィルタ４８に空気を通し脱臭を行うとともに、脱臭フィルタ４８に供給された機能水を乾燥させる。そして、予め定められた乾燥時間が経過すると脱臭フィルタ４８は乾燥した状態となるので、引き続き脱臭フィルタ４８による空気の脱臭を行う場合は、再度脱臭フィルタ４８に機能水を供給する。つまり、水供給量設定手段１１０では、予め定められた乾燥時間の間で脱臭フィルタ４８が乾燥した状態となる水量を供給水量として設定する。
【０２０７】
そのため、水供給手段１１２は脱臭フィルタ４８が乾燥した状態となってから機能水を供給することができ、脱臭フィルタ４８が乾燥していない状態で機能水を供給する場合に比べて、より多くの機能水が脱臭フィルタ４８に保持され、脱臭フィルタ４８に保持されないまま排出される機能水を少なくすることができる。
【０２０８】
なお、第４実施形態においては、噴霧部５０から機能水が供給されてから乾燥時間が経過するまで、脱臭フィルタ４８への機能水の供給を禁止していないため、例外的な処理が発生し脱臭フィルタ４８に機能水を供給する必要が生じた場合には、乾燥時間が経過する前であっても脱臭フィルタ４８へ機能水を供給しても良い。
【０２０９】
＜変形例＞
以上、本願の開示する技術の実施形態について説明したが、本願の開示する技術は上記に限定されるものではない。
【０２１０】
例えば、噴霧部５０は脱臭フィルタ４８に機能水を供給したが、本発明の便座装置１の脱臭装置１６はこれに限定されるものではなく、例えば、噴霧部５０から脱臭フィルタ４８に水や湯を供給するものであってもよい。
【０２１１】
また、噴霧部５０は脱臭フィルタ４８に機能水を噴霧することで供給するものであったが、本発明の噴霧部５０はこれに限定されるものではなく、脱臭フィルタ４８に機能水を保持させることができるものであれば、その形態は適宜変更することができる。
【０２１２】
また、図１６において、ステップＳ２３、Ｓ２４、及び、Ｓ２５で設定される供給水量は、脱臭フィルタ４８の最大保水量（約２０ｍＬ）よりも少ない値が設定されると説明したが、本具体例の脱臭フィルタ４８の最大保水量と供給水量の関係はこれに限定されるものではなく、最大保水量よりも多い供給水量が設定されても良い。また、各供給水量、及び、脱臭フィルタ４８の最大保水量は適宜変更することができる。
【０２１３】
また、本具体例の便座装置１においては、図１２のステップＳ２、及び、図１６のステップＳ２２で説明したように、温度検知部１７で検知された室温Ｔに基づいて乾燥時間設定手段８０が乾燥時間を、そして、水供給量設定手段９０が供給水量を設定するようにしている。一方で、乾燥時間設定手段８０、及び、水供給量設定手段９０は、温度検知部１７が検知する室温Ｔの代わりに、空気の湿度を検知可能な湿度検知部に基づいて、乾燥時間、又は、供給水量を設定できるようにするのも好ましい。
【０２１４】
このような場合、図示しない湿度検知部を脱臭フィルタ４８から排気口５４の間に配置し、脱臭フィルタ４８を通過した後の空気の湿度を検知することで、脱臭フィルタ４８が乾燥しているかどうかを判断することができる。
【０２１５】
前述した各実施形態が備える各要素は、技術的に可能な限りにおいて組み合わせることができ、これらを組み合わせたものも本発明の特徴を含む限り本発明の範囲に包含される。
【符号の説明】
【０２１６】
１ 便座装置（装置本体）
１７ 温度検知部
１８ 制御部
４６ ファン（吸引部）
４８ 脱臭フィルタ
５０ 噴霧部（給水部）
８０ 乾燥時間設定手段
８２ 水供給手段
８４ 脱臭手段
９０ 水供給量設定手段
９２ 水供給手段
９４ 脱臭手段 
【図１】
0006421929.tif 000005
【図２】
0006421929.tif 000006
【図３】
0006421929.tif 000007
【図４】
0006421929.tif 000008
【図５】
0006421929.tif 000009
【図６】
0006421929.tif 000010
【図７】
0006421929.tif 000011
【図８】
0006421929.tif 000012
【図９】
0006421929.tif 000013
【図１０】
0006421929.tif 000014
【図１１】
0006421929.tif 000015
【図１２】
0006421929.tif 000016
【図１３】
0006421929.tif 000017
【図１４】
0006421929.tif 000018
【図１５】
0006421929.tif 000019
【図１６】
0006421929.tif 000020
【図１７】
0006421929.tif 000021
【図１８】
0006421929.tif 000022
【図１９】
0006421929.tif 000023
【図２０】
0006421929.tif 000024